(57)【要約】【課題】モバイル環境において使用状況に応じて必要な情報を最適な電子表示手段により迅速かつ簡便に表示を行える電子機器システムを提供する。【解決手段】表示する情報を記憶する記憶手段を含む電子機器本体部１００、１０１と情報を表示する電子表示手段を含む表示部２００、３００とから電子機器システムを構成し、前記電子機器本体部１００、１０１に対し前記表示部２００、３００を着脱可能とする。性能の異なる複数種類の表示部２００、３００を用意しておくことにより、ユーザは必要に応じて最適な性能を備えた表示部２００、３００を電子機器本体部１００、１０１に装着して情報を表示する。さらに電子機器本体部１００、１０１は装着された表示部２００、３００の特性に応じて自動的に電子機器システムの動作を最適化する。【選択図】　図１
2004088396.tif 000002
【特許請求の範囲】
【請求項１】
電子機器本体と、該電子機器本体に対し着脱可能であって、特性が相違する複数の着脱式外部表示装置とからなる電子機器システムであって、
前記電子機器本体は、情報を処理する情報処理手段と、前記着脱式外部表示装置を機械的に連結するための本体コネクタと、前記情報を前記本体コネクタに装着された着脱式外部表示装置に送信する送信手段と、前記本体コネクタに装着された着脱式外部表示装置の特性を検出する検出手段と、前記検出手段により検出された着脱式外部表示装置の特性に応じて前記電子機器システムの動作を制御する制御手段とを備え、
前記特性が相違する複数の着脱式外部表示装置のそれぞれは、前記前記本体コネクタに着脱する装置コネクタと、前記送信手段から送信された情報を受信する受信手段と、受信した情報を表示する表示手段とを備えることを特徴とする電子機器システム。
【請求項２】
電子機器本体と、該電子機器本体に対し着脱可能な着脱式外部表示装置とからなる電子機器システムであって、
前記電子機器本体は、情報を処理する情報処理手段と、前記着脱式外部表示装置を機械的に連結するためのコネクタであって、前記電子機器本体の筐体の複数箇所に配置された複数の本体コネクタと、前記情報を前記複数の本体コネクタのいずれかに装着された着脱式外部表示装置に送信する送信手段と、前記複数箇所に配置された複数の本体コネクタのうちどの本体コネクタに前記着脱式外部表示装置が装着されたかを検出することにより前記着脱式外部表示装置の装着箇所を検出する検出手段と、前記検出手段により検出された前記着脱式外部表示装置の装着箇所に応じて前記電子機器システムの動作を制御する制御手段とを備え、
前記着脱式外部表示装置は、前記前記本体コネクタに着脱する装置コネクタと、前記送信手段から送信された情報を受信する受信手段と、受信した情報を表示する表示手段とを備えることを特徴とする電子機器システム。
【請求項３】
電子機器本体と、該電子機器本体に対し着脱可能な着脱式外部表示装置とからなる電子機器システムであって、
前記電子機器本体は、情報を処理する情報処理手段と、前記着脱式外部表示装置を機械的に連結するための本体コネクタと、前記情報を前記本体コネクタに装着された着脱式外部表示装置に送信する送信手段とを備え、
前記着脱式外部表示装置は、前記前記本体コネクタに着脱するコネクタであって、前記着脱式外部表示装置の筐体の複数箇所に配置された複数の装置コネクタと、前記送信手段から送信された情報を受信する受信手段と、受信した情報を表示する表示手段とを備えるとともに、
前記電子機器本体はさらに、前記複数箇所に配置された装置コネクタのうちどの装置コネクタが前記本体コネクタに装着されたかを検出することにより前記着脱式外部表示装置の装着方向を検出する検出手段と、前記検出手段により検出された前記着脱式外部表示装置の装着方向に応じて前記電子機器システムの動作を制御する制御手段とを備えることを特徴とする電子機器システム。
【請求項４】
電子機器本体と、該電子機器本体に対し着脱可能な着脱式外部表示装置とからなる電子機器システムであって、前記電子機器本体に前記着脱式外部表示装置が装着された状態および前記電子機器本体から前記着脱式外部表示装置が分離された状態において電子機器システムとして動作可能な電子機器システムであって、
前記電子機器本体は、情報を処理する情報処理手段と、前記着脱式外部表示装置を機械的に連結するための本体コネクタと、前記情報を前記着脱式外部表示装置に送信する送信手段とを備え、
前記着脱式外部表示装置は、前記前記本体コネクタに着脱する装置コネクタと、前記送信手段から送信された情報を受信する受信手段と、受信した情報を表示する表示手段とを備えるとともに、
前記電子機器本体はさらに、前記本体コネクタに前記着脱式外部表示装置が装着されているか検出することにより前記着脱式外部表示装置の装着の有無を検出する検出手段と、前記検出手段により検出された前記着脱式外部表示装置の装着の有無に応じて前記電子機器システムの動作を制御する制御手段とを備えることを特徴とする電子機器システム。
【請求項５】
請求項１乃至請求項４に記載の電子機器システムにおいて、前記本体コネクタと前記装置コネクタは電気的に結合するとともに、前記送信手段は前記本体コネクタと前記装置コネクタを経由して前記受信手段に情報を送信することを特徴とする電子機器システム。
【請求項６】
請求項１乃至請求項４に記載の電子機器システムにおいて、前記送信手段と前記受信手段は無線通信機能を有するとともに、前記送信手段は装着された着脱式外部表示装置の受信手段に無線通信機能により情報を送信することを特徴とする電子機器システム。
【請求項７】
請求項１に記載の電子機器システムにおいて、前記検出手段が検出する前記着脱式外部表示装置の特性は、前記表示手段の表示特性に関する情報であり、表示色、画面サイズ、表示輝度、表示画素ピッチ、表示コントラスト、表示応答性のいずれかに関する情報を含むことを特徴とする電子機器システム。
【請求項８】
請求項１に記載の電子機器システムにおいて、前記検出手段が検出する前記着脱式外部表示装置の特性は、前記着脱式外部表示の電源に関する情報であり、電源の種類、電源の有無、消費電力、残電力容量のいずれかに関する情報を含むことを特徴とする電子機器システム。
【請求項９】
請求項１に記載の電子機器システムにおいて、前記電子機器本体は操作部材を備えるとともに、前記制御手段は前記操作部材が所定時間の間操作されなかった場合は前記表示手段による情報の表示を停止させるとともに、前記検出手段により検出された着脱式外部表示装置の特性に応じて前記所定時間を変更することを特徴とする電子機器システム。
【請求項１０】
請求項１に記載の電子機器システムにおいて、前記電子機器本体は操作部材を備えるとともに、前記制御手段は前記操作部材が所定時間の間操作されなかった場合は電子機器システムの電源を落とすとともに、前記検出手段により検出された着脱式外部表示装置の特性に応じて前記所定時間を変更することを特徴とする電子機器システム。
【請求項１１】
請求項１乃至請求項４に記載の電子機器システムにおいて、前記制御手段は前記検出手段の検出結果に応じて前記送信手段から前記受信手段に送信する情報を加工することを特徴とする電子機器システム。
【請求項１２】
請求項２に記載の電子機器システムにおいて、前記複数の本体コネクタに複数の着脱式外部表示装置が同時に装着された場合、前記制御手段は該複数の着脱式外部表示装置のそれぞれの表示手段で同時に前記情報を表示させることを特徴とする電子機器システム。
【請求項１３】
請求項１乃至請求項４に記載の電子機器システムにおいて、前記着脱式外部表示装置は表示特性の相違する複数の表示手段を有することを特徴とする電子機器システム。
【請求項１４】
請求項１３に記載の電子機器システムにおいて、前記着脱式外部表示装置は２つの表示手段を有するとともに、該２つの表示手段の２つの表示画面は前記着脱式外部表示装置の筐体の表側と裏側に配置されていることを特徴とする電子機器システム。
【請求項１５】
請求項１乃至請求項４に記載の電子機器システムにおいて、前記電子機器本体の本体コネクタに前記着脱式外部表示装置以外に補助電源装置が装着可能なことを特徴とする電子機器システム。
【請求項１６】
請求項１乃至請求項４に記載の電子機器システムにおいて、前記本体コネクタと前記装置コネクタは相対的に可動に結合することを特徴とする電子機器システム。
【請求項１７】
請求項１乃至請求項４に記載の電子機器システムにおいて、前記電子機器本体は前記着脱式外部表示装置を収納する収納部を備えることを特徴とする電子機器システム。
【請求項１８】
請求項１乃至請求項４に記載の電子機器システムにおいて、前記情報は静止画像情報、動画像情報、テキスト情報、地図情報のいずれかであることを特徴とする電子機器システム。
【請求項１９】
電子カメラ本体と、該電子カメラ本体に対し着脱可能であって、特性が相違する複数の着脱式外部表示装置とからなる電子カメラシステムであって、
前記電子カメラ本体は、撮影により画像情報を生成する撮像手段と、前記画像情報を記録する記憶手段と、前記着脱式外部表示装置を機械的に連結するための本体コネクタと、前記画像情報を前記本体コネクタに装着された着脱式外部表示装置に送信する送信手段と、前記本体コネクタに装着された着脱式外部表示装置の特性を検出する検出手段と、前記検出手段により検出された着脱式外部表示装置の特性に応じて前記電子カメラシステムの動作を制御する制御手段とを備え、
前記特性が相違する複数の着脱式外部表示装置のそれぞれは、前記前記本体コネクタに着脱する装置コネクタと、前記送信手段から送信された画像情報を受信する受信手段と、受信した画像情報を表示する表示手段とを備えることを特徴とする電子カメラシステム。
【請求項２０】
電子カメラ本体と、該電子カメラ本体に対し着脱可能な着脱式外部表示装置とからなる電子カメラシステムであって、
前記電子カメラ本体は、撮影により画像情報を生成する撮像手段と、前記画像情報を記録する記憶手段と、前記着脱式外部表示装置を機械的に連結するためのコネクタであって、前記電子カメラ本体の筐体の複数箇所に配置された複数の本体コネクタと、前記画像情報を前記複数の本体コネクタのいずれかに装着された着脱式外部表示装置に送信する送信手段と、前記複数箇所に配置された複数の本体コネクタのうちどの本体コネクタに前記着脱式外部表示装置が装着されたかを検出することにより前記着脱式外部表示装置の装着箇所を検出する検出手段と、前記検出手段により検出された前記着脱式外部表示装置の装着箇所に応じて前記電子カメラシステムの動作を制御する制御手段とを備え、
前記着脱式外部表示装置は、前記前記本体コネクタに着脱する装置コネクタと、前記送信手段から送信された画像情報を受信する受信手段と、受信した画像情報を表示する表示手段とを備えることを特徴とする電子カメラシステム。
【請求項２１】
電子カメラ本体と、該電子カメラ本体に対し着脱可能な着脱式外部表示装置とからなる電子カメラシステムであって、
前記電子カメラ本体は、撮影により画像情報を生成する撮像手段と、前記画像情報を記録する記憶手段と、前記着脱式外部表示装置を機械的に連結するための本体コネクタと、前記画像情報を前記本体コネクタに装着された着脱式外部表示装置に送信する送信手段とを備え、
前記着脱式外部表示装置は、前記前記本体コネクタに着脱するコネクタであって、前記着脱式外部表示装置の筐体の複数箇所に配置された複数の装置コネクタと、前記送信手段から送信された画像情報を受信する受信手段と、受信した画像情報を表示する表示手段とを備えるとともに、
前記電子カメラ本体はさらに、前記複数箇所に配置された装置コネクタのうちどの装置コネクタが前記本体コネクタに装着されたかを検出することにより前記着脱式外部表示装置の装着方向を検出する検出手段と、前記検出手段により検出された前記着脱式外部表示装置の装着方向に応じて前記電子カメラシステムの動作を制御する制御手段とを備えることを特徴とする電子カメラシステム。
【請求項２２】
電子カメラ本体と、該電子カメラ本体に対し着脱可能な着脱式外部表示装置とからなる電子カメラシステムであって、前記電子カメラ本体に前記着脱式外部表示装置が装着された状態および前記電子カメラ本体から前記着脱式外部表示装置が分離された状態において電子カメラシステムとして動作可能な電子カメラシステムであって、
前記電子カメラ本体は、撮影により画像情報を生成する撮像手段と、前記画像情報を記録する記憶手段と、前記着脱式外部表示装置を機械的に連結するための本体コネクタと、前記画像情報を前記着脱式外部表示装置に送信する送信手段とを備え、
前記着脱式外部表示装置は、前記前記本体コネクタに着脱する装置コネクタと、前記送信手段から送信された画像情報を受信する受信手段と、受信した画像情報を表示する表示手段とを備えるとともに、
前記電子カメラ本体はさらに、前記本体コネクタに前記着脱式外部表示装置が装着されているか検出することにより前記着脱式外部表示装置の装着の有無を検出する検出手段と、前記検出手段により検出された前記着脱式外部表示装置の装着の有無に応じて前記電子カメラシステムの動作を制御する制御手段とを備えることを特徴とする電子カメラシステム。
【請求項２３】
電子カメラ本体と、該電子カメラ本体に対し着脱可能であって、特性が相違する複数の着脱式外部カメラ装置とからなる電子カメラシステムであって、
前記特性が相違する複数の着脱式外部カメラ装置のそれぞれは、撮影により画像情報を生成する撮像手段と、前記電子カメラ本体に機械的に連結するための装置コネクタと、前記装置コネクタに装着された電子カメラ本体に前記画像情報を送信する送信手段とを備え、
前記電子カメラ本体は、前記送信手段から送信された画像情報を受信する受信手段と、前記受信した画像情報を記録する記憶手段と、前記受信した画像情報を表示する表示手段と、前記装置コネクタに着脱する本体コネクタと、前記本体コネクタに装着された着脱式外部カメラ装置の特性を検出する検出手段と、前記検出手段により検出された着脱式外部カメラ装置の特性に応じて前記電子カメラシステムの動作を制御する制御手段とを備えことを特徴とする電子カメラシステム。
【請求項２４】
電子カメラ本体と、該電子カメラ本体に対し着脱可能な着脱式外部表示装置とからなる電子カメラシステムであって、
前記着脱式外部カメラ装置は、撮影により画像情報を生成する撮像手段と、前記電子カメラ本体に機械的に連結するための装置コネクタと、前記装置コネクタに装着された電子カメラ本体に前記画像情報を送信する送信手段とを備え、
前記電子カメラ本体は、前記装置コネクタに着脱するコネクタであって、前記電子カメラ本体の筐体の複数箇所に配置された複数の本体コネクタと、前記複数の本体コネクタのいずれかに装着された着脱式外部カメラ装置の送信手段から送信された画像情報を受信する受信手段と、前記受信した画像情報を記録する記憶手段と、前記受信した画像情報を表示する表示手段と、前記複数箇所に配置された複数の本体コネクタのうちどの本体コネクタに前記着脱式外部カメラ装置が装着されたかを検出することにより前記着脱式外部カメラ装置の装着箇所を検出する検出手段と、前記検出手段により検出された前記着脱式外部カメラ装置の装着箇所に応じて前記電子カメラシステムの動作を制御する制御手段とを備えることを特徴とする電子カメラシステム。
【請求項２５】
電子カメラ本体と、該電子カメラ本体に対し着脱可能な着脱式外部表示装置とからなる電子カメラシステムであって、
前記着脱式外部カメラ装置は、撮影により画像情報を生成する撮像手段と、前記電子カメラ本体に機械的に連結するためのコネクタであって、前記着脱式外部カメラ装置の筐体の複数箇所に配置された複数の装置コネクタと、前記複数の装置コネクタのいずれかに装着された電子カメラ本体に前記画像情報を送信する送信手段とを備え、
前記電子カメラ本体は、前記複数の装置コネクタのいずれかに着脱する本体コネクタと、前記本体コネクタに装着された着脱式外部カメラ装置の送信手段から送信された画像情報を受信する受信手段と、前記受信した画像情報を記録する記憶手段と、前記受信した画像情報を表示する表示手段と、前記複数箇所に配置された装置コネクタのうちどの装置コネクタが前記本体コネクタに装着されたかを検出することにより前記着脱式外部カメラ装置の装着方向を検出する検出手段と、前記検出手段により検出された前記着脱式カメラ表示装置の装着方向に応じて前記電子カメラシステムの動作を制御する制御手段とを備えることを特徴とする電子カメラシステム。
【請求項２６】
電子カメラ本体と、該電子カメラ本体に対し着脱可能な着脱式外部カメラ装置とからなる電子カメラシステムであって、前記電子カメラ本体に前記着脱式外部カメラ装置が装着された状態および前記電子カメラ本体から前記着脱式外部カメラ装置が分離された状態において電子カメラシステムとして動作可能な電子カメラシステムであって、
前記電子カメラ本体は、前記装置コネクタ着脱する本体コネクタと、前記本体コネクタに装着された着脱式外部カメラ装置の送信手段から送信された画像情報を受信する受信手段と、前記受信した画像情報を記録する記憶手段と、前記受信した画像情報を表示する表示手段と、前記本体コネクタに前記着脱式外部表示装置が装着されているか検出することにより前記着脱式外部表示装置の装着の有無を検出する検出手段と、前記検出手段により検出された前記着脱式外部表示装置の装着の有無に応じて前記電子カメラシステムの動作を制御する制御手段とを備えることを特徴とする電子カメラシステム。
【請求項２７】
請求項１９乃至請求項２６に記載の電子カメラシステムにおいて、前記本体コネクタと前記装置コネクタは電気的に結合するとともに、前記送信手段は前記本体コネクタと前記装置コネクタを経由して前記受信手段に画像情報を送信することを特徴とする電子カメラシステム。
【請求項２８】
請求項１９乃至請求項２６に記載の電子カメラシステムにおいて、前記送信手段と前記受信手段は無線通信機能を有するとともに、前記送信手段は前記受信手段に無線通信機能により画像情報を送信することを特徴とする電子カメラシステム。
【請求項２９】
請求項１９に記載の電子カメラシステムにおいて、前記検出手段が検出する前記着脱式外部表示装置の特性は、前記表示手段の表示特性に関する情報であり、表示色、画面サイズ、表示輝度、表示画素ピッチ、表示コントラスト、表示応答性のいずれかに関する情報を含むことを特徴とする電子カメラシステム。
【請求項３０】
請求項２３に記載の電子カメラシステムにおいて、前記検出手段が検出する前記着脱式外部カメラ装置の特性は、前記撮像手段の撮像特性に関する情報であり、画素数、感度、応答性のいずれかに関する情報を含むことを特徴とする電子カメラシステム。
【請求項３１】
請求項１９に記載の電子カメラシステムにおいて、前記検出手段が検出する前記着脱式外部表示装置の特性は、前記着脱式外部表示装置の電源に関する情報であり、電源の種類、電源の有無、消費電力、残電力容量のいずれかに関する情報を含むことを特徴とする電子カメラシステム。
【請求項３２】
請求項１９に記載の電子カメラシステムにおいて、前記検出手段が検出する前記着脱式外部カメラ装置の特性は、前記着脱式外部カメラ装置の電源に関する情報であり、電源の種類、電源の有無、消費電力、残電力容量のいずれかに関する情報を含むことを特徴とする電子カメラシステム。
【請求項３３】
請求項１９に記載の電子カメラシステムにおいて、前記電子カメラ本体は操作部材を備えるとともに、前記制御手段は前記操作部材が所定時間の間操作されなかった場合は前記表示手段による画像情報の表示を停止させるとともに、前記検出手段により検出された着脱式外部表示装置の特性に応じて前記所定時間を変更することを特徴とする電子カメラシステム。
【請求項３４】
請求項２３に記載の電子カメラシステムにおいて、前記電子カメラ本体は操作部材を備えるとともに、前記制御手段は前記操作部材が所定時間の間操作されなかった場合は前記表示手段による画像情報の表示を停止させるとともに、前記検出手段により検出された着脱式外部カメラ装置の特性に応じて前記所定時間を変更することを特徴とする電子カメラシステム。
【請求項３５】
請求項１９に記載の電子カメラシステムにおいて、前記電子カメラ本体は操作部材を備えるとともに、前記制御手段は前記操作部材が所定時間の間操作されなかった場合は電子カメラシステムの電源を落とすとともに、前記検出手段により検出された着脱式外部表示装置の特性に応じて前記所定時間を変更することを特徴とする電子カメラシステム。
【請求項３６】
請求項２３に記載の電子カメラシステムにおいて、前記電子カメラ本体は操作部材を備えるとともに、前記制御手段は前記操作部材が所定時間の間操作されなかった場合は電子カメラシステムの電源を落とすとともに、前記検出手段により検出された着脱式外部カメラ装置の特性に応じて前記所定時間を変更することを特徴とする電子カメラシステム。
【請求項３７】
請求項１９乃至請求項２６に記載の電子カメラシステムにおいて、前記制御手段は前記検出手段の検出結果に応じて前記送信手段から前記受信手段に送信する画像情報を加工することを特徴とする電子カメラシステム。
【請求項３８】
請求項１９乃至請求項２６に記載の電子カメラシステムにおいて、前記記録手段は記録品質が異なる複数の記録モードで前記画像情報を記録可能であるとともに、前記制御手段は前記検出手段の検出結果に応じた記録モードで前記記録手段に前記画像情報を記録させることを特徴とする電子カメラシステム。
【請求項３９】
請求項１９乃至請求項２６に記載の電子カメラシステムにおいて、前記撮影手段は前記画像情報を生成する過程が異なる複数の撮影モードで撮影可能であるとともに、前記制御手段は前記検出手段の検出結果に応じた撮影モードで前記撮影手段に撮影させることを特徴とする電子カメラシステム。
【請求項４０】
請求項１９乃至請求項２６に記載の電子カメラシステムにおいて、前記表示手段は前記画像情報を表示する方法が異なる複数の表示モードで前記画像情報を表示することが可能であるとともに、前記制御手段は前記検出手段の検出結果に応じた表示モードで前記表示手段に画像情報を表示させることを特徴とする電子カメラシステム。
【請求項４１】
請求項２０に記載の電子カメラシステムにおいて、前記複数の本体コネクタに複数の着脱式外部表示装置が同時に装着された場合、前記制御手段は該複数の着脱式外部表示装置のそれぞれの表示手段で同時に前記画像情報を表示させることを特徴とする電子カメラシステム。
【請求項４２】
請求項１９乃至請求項２２に記載の電子カメラシステムにおいて、前記着脱式外部表示装置は表示特性の相違する複数の表示手段を有することを特徴とする電子カメラシステム。
【請求項４３】
請求項４２に記載の電子カメラシステムにおいて、前記着脱式外部表示装置は２つの表示手段を有するとともに、該２つの表示手段の２つの表示画面は前記着脱式外部表示装置の筐体の表側と裏側に配置されていることを特徴とする電子カメラシステム。
【請求項４４】
請求項１９乃至請求項２６に記載の電子カメラシステムにおいて、前記電子カメラ本体の本体コネクタに補助電源装置が装着可能なことを特徴とする電子カメラシステム。
【請求項４５】
請求項１９乃至請求項２６に記載の電子カメラシステムにおいて、前記本体コネクタと前記装置コネクタは相対的に可動に結合することを特徴とする電子カメラシステム。
【請求項４６】
請求項１９乃至請求項２２に記載の電子カメラシステムにおいて、前記電子カメラ本体は前記着脱式外部表示装置を収納する収納部を備えることを特徴とする電子カメラシステム。
【請求項４７】
請求項１９乃至請求項２６に記載の電子カメラシステムにおいて、前記画像情報は静止画像情報、動画像情報のいずれかであることを特徴とする電子カメラシステム。
【請求項４８】
請求項１９乃至請求項２６に記載の電子カメラシステムにおいて用いられる電子カメラ本体。
【請求項４９】
請求項１９乃至請求項２２に記載の電子カメラシステムにおいて用いられる着脱式外部表示装置。
【請求項５０】
請求項２３乃至請求項２６に記載の電子カメラシステムにおいて用いられる着脱式外部カメラ装置。
【発明の詳細な説明】
【０００１】
【発明の属する技術分野】本発明は、各種情報を表示するための表示部を備えた電子機器システム、電子カメラシステムおよび前記システムに用いられる電子カメラ本体、着脱式外部表示装置、着脱式外部カメラ装置に関する。
【０００２】
【従来の技術】携帯電話、ＰＤＡ（Ｐｅｒｓｏｎａｌ　Ｄｉｇｉｔａｌ　Ａｓｓｉｓｔａｎｔ）、電子カメラ等の携帯型の電子機器では、ユーザが必要とする情報（テキスト情報、画像情報等）を電子機器本体に組み込まれたＬＣＤ（液晶表示デバイス）等の電子表示手段により表示している。例えば電子カメラでは、撮影を行う前の構図確認のためにスルー画像（モニター画像、プレビュー画像）を液晶画面などで表示したり、撮影によりメモリーカードに記録された画像を液晶画面などで再生表示している。
【０００３】
【発明が解決しようとする課題】このような携帯型の電子機器においては、ユーザの利便性（収納／運搬などが容易）を図るために電子機器の筐体を小型にする必要があり、その結果必然的に電子機器本体に組み込まれる電子表示手段の表示画面の大きさも制限されていた。一方視力が弱まった年配のユーザからは、情報を見やすくするために大型画面を持つ電子機器が望まれていた。
【０００４】
またこのような携帯型の電子機器においては、小型電池を電源として使用するので、電子機器本体に組み込む電子表示手段としては消費電力の少ないものが選択されていたが、概して消費電力の少なさと表示品質（解像度、輝度、応答速度など）は相反する性能なので、ユーザは高品質な表示が必要な状況においても、低品質な表示で我慢するしかなかった。
【０００５】
またこのような携帯型の電子機器においては、電子機器のコストを押さえるために電子機器本体に組み込む電子表示手段としても比較的低コストのものが選択されていたが、概して電子表示手段のコストと表示品質（解像度、輝度、応答速度など）は相反する性能なので、ユーザは高品質な表示が必要な状況においても、低品質な表示で我慢するしかなかった。
【０００６】
またこのような携帯型の電子機器からデスクトップコンピュータなどの据付型の電子機器に情報を無線または有線または記憶媒体を介して転送し、転送先の高機能な電子表示手段で転送した情報を表示させることもできるが、携帯型の電子機器を使用している現場で即座に必要な情報を最適な電子表示手段で表示させることはできなかった。
【０００７】
以上まとめると従来の携帯型の電子機器においては、電子表示手段が電子機器本体に組み込まれたものに限定されていたため、モバイル環境において使用状況に応じて最適な電子表示手段により情報を迅速に表示することができなかった。
【０００８】
そこで本発明は、モバイル環境において使用状況に応じて必要な情報を最適な電子表示手段により迅速かつ簡便に表示を行える電子機器システム、電子カメラシステムおよび前記システムに用いられる電子カメラ本体、着脱式外部表示装置、着脱式外部カメラ装置を提供することを目的とする。
【０００９】
【課題を解決するための手段】上記目的を達成するため、本発明による電子機器システム、電子カメラシステムおよび前記システムに用いられる電子カメラ本体、着脱式外部表示装置、着脱式外部カメラ装置においては、表示する情報を記憶する記憶手段を含む本体部と、情報を表示する電子表示手段を含む表示部とから上記システムを構成し、前記本体部に対し前記表示部を着脱可能とする。性能の異なる複数種類の表示部を用意しておくことにより、ユーザは必要に応じて最適な性能を備えた表示部を本体部に装着して情報を表示する。さらに本体部は装着された表示部の特性に応じて自動的に上記システムの動作を最適化する。
【００１０】
また本発明による電子機器システム、電子カメラシステムおよび前記システムに用いられる電子カメラ本体、着脱式外部表示装置、着脱式外部カメラ装置においては、表示する情報を生成する生成手段を含む情報生成部と、情報を記憶する記憶手段と情報を表示する電子表示手段を含む本体部とから上記システムを構成し、前記本体部に対し前記情報生成部を着脱可能とする。前記本体部と前記情報生成部は装着状態においても分離状態においても、上記システムとして動作可能とする。性能の異なる複数種類の本体部を用意しておくことにより、ユーザは必要に応じて最適な性能を備えた本体部に情報生成部に組み合わせて情報を表示する。さらに本体部は組み合わされた情報生成部に応じて自動的に上記システムの動作を最適化する。
【００１１】
【発明の実施の形態】以下、図面を参照して本発明の実施形態について説明する。図１は本発明の第１の実施形態の電子機器システム（図１では電子カメラシステム）の構成図である。複数種類の電子カメラ本体１００、１０１等の本体部にはそれぞれ複数種類の着脱式外部表示装置２００、３００および着脱式電源４００、着脱式ストロボ５００等の付属部が装着可能なシステムとなっており、ユーザは使用する電子カメラ本体の機能と撮影状況に応じて、複数種類の着脱式外部表示装置の中から撮影状況に応じて適当なものを選択して電子カメラ本体１００、１０１に装着したり、着脱式電源４００、着脱式ストロボ５００等の付属部を撮影用途に応じて電子カメラ本体１００、１０１に装着して使用することができる。
【００１２】
例えば小型の電子カメラ本体を用いてスナップ撮影を行う場合には、小型画面を備えた着脱式外部表示装置を装着することにより軽快に撮影が行なうことができる。また画素数が多い撮像素子を内蔵した電子カメラ本体を用いてポートレート撮影や風景撮影をじっくり行う場合には、大きな表示画面を備えた着脱式外部表示装置を装着することにより、撮影構図をしっかり確認して撮影を行うことができる。また連続撮影や動画撮影を行う場合等は、電力消費が激しくなるため撮影途中で電源がダウンしないように電力容量の大きな着脱式電源を装着したり、応答性の高い表示画面を備えた着脱式外部表示装置を装着して使用することもできる。また夜間撮影等の場合には、画面を発光表示する着脱式外部表示装置やガイドナンバーの大きな着脱式ストロボを装着することもできる。また日中の屋外で撮影を行う場合には、画面を高輝度下でも見易くするために、広視野で反射特性が良好な表示画面（電子ペーパー等）を搭載した着脱式外部表示装置を装着することもできる。なお電子カメラ本体部には着脱式外部表示装置等の付属部を装着するためのコネクタが複数箇所に設けられており、状況に応じて適した場所に複数の付属部を装着し、それらの複数の付属部を同時に使用することが可能である。
【００１３】
付属部が装着された電子カメラ本体部は装着された付属部の機能や種類を識別し、電子カメラ全体がシステムとしてユーザにとって使い勝ってがよくなるように自動的に電子カメラ全体の動作を制御する。例えば表示ＯＦＦタイマー動作（電源ＯＮ中に所定時間ユーザによる操作がなされない場合に自動的に表示動作を停止する動作）のタイマー作動時間を装着された着脱式外部表示装置の電源状態や消費電力に応じて変更する。また電子カメラ本体部は装着された着脱式外部表示装置の機能や性能に応じて電子カメラのシーンモード（撮影シーンに応じた電子カメラの動作モード）の設定を行う。例えば装着した着脱式外部表示装置が高精細の大型表示画面を備えている場合には風景撮影モード（風景撮影に適するように輝度に応じて露光時間、撮像素子の感度、絞りを定める）にしたり、高応答性の表示画面を備えている場合にはスポーツ撮影モード（スポーツ撮影に適するように輝度に応じて露光時間、撮像素子の感度、絞りを定める）にしたり、発光型表示画面を備えている場合には夜景撮影モード（夜景撮影に適するように輝度に応じて露光時間、撮像素子の感度、絞りを定める）にしたりする。また電子カメラ本体部は装着された着脱式外部表示装置の機能や性能に応じて電子カメラの記録モード（画素数、記録フォーマット、圧縮／非圧縮）の設定を行う。例えば装着された着脱式外部表示装置が高精細の大型表示画面を備えている場合には、撮影される画像が後で高度な処理（拡大プリント等）を受けることを想定して高品質記録モード（非圧縮、全画素生データ記録）とする。また小型表示画面を備えている場合には、撮影された画像が後で簡易な処理（メール添付など）を想定して、簡易記録モード（ＪＰＥＧ圧縮、画素数１／１６）とする。
【００１４】
図２、図３および図４は、本発明の第１の実施形態に適用される電子カメラ本体１００の外観図（正面視および背面視）である。図２に示すように電子カメラ本体１００の前面には被写体像を形成するための撮影レンズ１０、被写体を観察するための光学ファインダ１１、被写体の明るさを検知するための測光回路１３が備えられ、上面には撮影を指示するためのレリーズボタン１６、電子カメラ本体１００に着脱式の付属部を着脱する際に操作されるロック解除ボタン１９が備えられる。電子カメラ本体１００の正面から見た右側面には着脱式の付属部を機械的かつ電気的に装着するためのコネクタ１５と、着脱式外部表示装置を収納するための収納スロット２３が備えられる。
【００１５】
図３に示すように、電子カメラ本体１００の背面の左上部分は着脱式付属部を装着するために、背面より所定の深さだけえぐられている。背面右上には光学ファインダ１１の接眼部、右下に電子カメラ全体の電源ＯＮ／ＯＦＦと動作モード（撮影モードと再生モード）の切換えのために操作されるダイヤル１８と該ダイヤル１８の切換え位置を示すドット２０が配置され、背面の下側には再生画像の切換えに用いられる左方向ボタン２５、右方向ボタン２６と背面に装着された着脱式外部表示装置の表示のＯＮ／ＯＦＦを切換えるための表示ボタン２７（操作のたびに表示ＯＮ／ＯＦＦ状態が反転する）が配置される。背面からみて右側の側面には画像データ保存用のメモリカード７７（着脱式記憶媒体）を装着するためのメモリカードスロット３１と電池を収納するための電池スロット３０が備えられる。
【００１６】
図４は電子カメラ本体１００を正面右側からみた場合の側面図であって、背面から一段えぐられた部分の側面には、着脱式付属部を機械的かつ電気的に装着するためのコネクタ１４が備えられる。また上記レリーズボタン１６、ダイヤル１８、左方向ボタン２５、右方向ボタン２６は全てユーザーによって操作される操作キーである。なおコネクタ１４、コネクタ１５には電子カメラ本体１００と着脱式付属部間で電力供給を行う電源ラインも含まれる。
【００１７】
図５および図６は、本発明の第１の実施形態に適用される着脱式外部表示装置２００の外観図である。図５に示すように着脱式外部表示装置２００の一方の面にはテキストおよび画像表示用の長方形の画面を備えたＥＬ表示素子（発光型のエレクトロルミネッセンスデバイス）による発光型の表示画面１２１が配置され、側面には電子カメラ本体１００のコネクタ１４、１５に機械的かつ電気的に装着するためのコネクタ２１４が備えられる。また図６は図５の反対側から着脱式外部表示装置２００を見た図であって、着脱式外部表示装置２００のもう一方の面にはテキストおよび画像表示用の長方形の画面を備えた電子ペーパー素子による反射型の表示画面２２２が配置される。なお着脱式外部表示装置２００は、電子カメラ本体１００に装着時に電子カメラ本体１００から電力の供給を受ける。
【００１８】
図７および図８は、本発明の第１の実施形態に適用される着脱式外部表示装置３００の外観図（正面視および背面視）である。図７に示すように前面左側に着脱式外部表示装置３００を単独で画像再生に使用する場合に電源ＯＮ／ＯＦＦと再生モードを切換えるために操作されるダイヤル３１８と該ダイヤル３１８の切換え位置を示すドット２２０が配置され、その下側には着脱式外部表示装置３００の単独使用時において再生画像の切換えに用いられる左方向ボタン３２５、右方向ボタン３２６が配置される。着脱式外部表示装置３００の正面から見た右側面には画像データ保存用のメモリカード３７７（着脱式記憶媒体）を装着するためのメモリカードスロット３３１と電池を収納するための電池スロット３３０が備えられる。
【００１９】
図８に示すように、着脱式外部表示装置３００の背面のほぼ全面にはテキストおよび画像表示用の長方形の画面を備えたＬＣＤ（液晶表示素子）による高精細の大型表示画面３２１が配置され、背面からみて右側の側面には電子カメラ本体１００のコネクタ１５に結合し、電子カメラ本体１００に機械的かつ電気的に装着するためのコネクタ３１４が備えられる。またダイヤル３１８、左方向ボタン３２５、右方向ボタン３２６は全てユーザーによって操作される操作キーである。また着脱式外部表示装置３００は電子カメラ本体１００に装着時にも電力供給を電子カメラ本体１００から受けずに、電池スロット３３０に収納した電池により電力を賄う。
【００２０】
図９は、本発明の第１の実施形態に適用される着脱式電源４００の外観図である。図９に示すように着脱式電源４００の側面には電子カメラ本体１００のコネクタ１４、１５に結合し、電子カメラ本体１００に機械的かつ電気的に装着するためのコネクタ４１４が備えられる。着脱式電源４００は２次電池を内蔵しており、コネクタ４１４に対応するコネクタを備えた不図示の充電アダプタ装置により該２次電池を充電することが可能である。またコネクタ４１４により電子カメラ本体１００に装着された場合は、電子カメラ本体１００に電力を供給することが可能である。
【００２１】
図１０は、本発明の第１の実施形態に適用される着脱式ストロボ５００の外観図（正面視）である。図１０に示すように着脱式ストロボ５００の正面にはストロボ発光窓５１２が配置され、この奥にストロボ発光部が備えられる。また着脱式ストロボ５００の側面には電子カメラ本体１００のコネクタ１５に結合し、電子カメラ本体１００に機械的かつ電気的に装着するためのコネクタ５１４が備えられる。着脱式ストロボ５００は２次電池を内蔵しており、コネクタ５１４に対応するコネクタを備えた不図示の充電アダプタ装置により該２次電池を充電することが可能である。またコネクタ５１４により電子カメラ本体１００に装着された場合にも、電子カメラ本体１００による電力供給を受けずに内蔵する２次電池によりストロボ発光動作を行うことが可能である。なお上記の説明において電子カメラ本体１００のコネクタ１４、１５と着脱式付属部のコネクタ２１４、３１４、４１４、５１４は長方形の形状をしており、１８０度回転した２つの方向で装着が可能となっている。
【００２２】
図１１は、電子カメラ本体１００に着脱式外部表示装置２００を装着した場合（コネクタ１４とコネクタ２１４を結合）の背面視の状態を示す図である。図１１に示すように、電子カメラ本体１００の背面の凹部に着脱式外部表示装置２００が嵌まり込むように構成されている。図１１では着脱式外部表示装置２００の表示画面２２１が表に出ているが、コネクタの装着方向を１８０度回転することにより表示画面２２２を表に出すことも可能である。このように小型の着脱式外部表示装置２００を電子カメラ本体１００に装着することにより、電子カメラ全体のサイズをコンパクトに維持したまま撮影を行うことができるとともに、撮影状況に応じた表示特性を持った表示画面を選択して画像を表示させることができる。例えば暗い撮影状況では発光型表示素子を用いた表示画面２２１で画像を表示させ、明るい撮影状況では反射型表示素子を用いた表示画面２２で画像を表示させることができる。また表示画面２２１、２２２以外の表示特性を持った表示画面を使用したい場合は、電子カメラ本体１００の収納スロット２３に収納しておいた着脱式外部表示装置２００と同じサイズで表示特性の異なる表示画面を持った他の着脱式外部表示装置と取りかえることもできる。このように電子カメラ本体１００は小型の着脱式外部表示装置を収納することができるので、状況に応じて最適な表示特性を有する着脱式外部表示装置を選択し、迅速に電子カメラ本体に交換して装着することができる。
【００２３】
図１２は、電子カメラ本体１００に着脱式外部表示装置２００を装着した場合（コネクタ１５とコネクタ２１４を結合）の正面視の状態を示す図である。図１２に示すように、このような装着状態では着脱式外部表示装置２００の表示画面２２１は撮影者側から確認可能であり、表示画面２２２は被写体側から確認可能である。このようにすれば、セルフタイマー撮影等で被写体側からでも構図確認ができ、必要に応じて被写体の位置を変えることができる。
【００２４】
図１３は、電子カメラ本体１００に着脱式外部表示装置２００と着脱式外部表示装置３００を装着した場合（コネクタ１４とコネクタ２１４を結合、コネクタ１５とコネクタ３１４を結合）の背面視の状態を示す図である。図１３に示すように、このような装着状態では着脱式外部表示装置２００の表示画面２２１と着脱式外部表示装置３００の表示画面３２１が撮影者側から確認可能である。このようにすれば撮影者は高精細大画面で被写体の画像を確認することができる。また着脱式外部表示装置３００を裏返して電子カメラ本体１００に装着すれば、着脱式外部表示装置３００の表示画面３２１が被写体側から確認可能である。このようにすれば、セルフタイマー撮影等で被写体側からでも構図確認ができ、必要に応じて被写体の位置を変えることができる。
【００２５】
図１４は、電子カメラ本体１００に着脱式電源４００を装着した場合（コネクタ１４とコネクタ４１４を結合）の背面視の状態を示す図である。図１４に示すように、電子カメラ本体１００の背面の凹部に着脱式電源４００が嵌まり込むように構成されている。このような状態では電力を消費する画像表示を行わず、被写界の確認は光学ファインダ１１で行うことができる。このようにすれば、消費電力を押さえるとともに電力供給能力が高まるので、長時間に渡る撮影や寒冷地での撮影に適している。またこの状態で電子カメラ本体１００のコネクタ１５に着脱式外部表示装置２００または３００を装着するようにしてもよい。
【００２６】
図１５は、電子カメラ本体１００に着脱式ストロボ５００と着脱式外部表示装置２００を装着した場合（コネクタ１４とコネクタ２１４を結合、コネクタ１５とコネクタ５１４を結合）の正面視の状態を示す図である。このような状態では撮影の際に被写体の照明状態が暗い場合には、着脱式ストロボ５００を必要に応じて撮影時に被写体に向けて発光することができる。このようにすれば必要な時だけ着脱式ストロボ５００を電子カメラ本体１００に装着して使用することができるので、通常状態で電子カメラをコンパクトにすることができる。また電子カメラ本体１００に付いている複数の同一規格のコネクタに対し、撮影状況に応じて機能の異なる着脱式付属部を選択して取りつけることができるので、電子カメラ本体１００のコネクタ構成をシンプルにすることができる。
【００２７】
図１６は、電子カメラ本体１００の内部の電気構成例を示すブロック図であって、各構成要素は各種情報データおよび制御データの伝送と電力の伝送を担うデータ／制御バス＆電源ライン５１を介して互いに接続されている。データ／制御バス＆電源ライン５１はコネクタ１４、コネクタ１５を経由して着脱式付属部のデータ／制御バス＆電源ラインに繋がる。電子カメラ本体１００は、画像データの撮影動作を実行する撮影制御回路６０を中心とするブロック、画像データを記憶・保存するメモリカード７７のブロック、操作キー６５等のユーザーインターフェースと各制御回路に対する統括制御を行うＣＰＵ５０（中央処理ユニット）を中心とするブロック、各ブロックに電力を供給する電源制御回路６４を中心とするブロックなどから構成される。
【００２８】
電子カメラ本体１００の電源は電池６３（一次電池）であり、ＣＰＵ５０はダイヤル１８の操作状態に応じて電源制御回路６４を制御する。ＣＰＵ５０は電子カメラ全体の制御を行う手段であって、操作キー６５、タイマ７４、着脱検知ＳＷ８０、着脱検知ＳＷ８１、測光回路１３などからの入力情報に応じて撮影制御回路６０、電源制御回路６４、装着された着脱式付属部などへの各種指示を行う。着脱検知ＳＷ８０、着脱検知ＳＷ８１はそれぞれコネクタ１４、コネクタ１５に着脱式付属部がどの方向で装着されているか検出するスイッチである。測光回路１３は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。
【００２９】
ＣＰＵ５０は撮影モードではレリーズボタン１６の操作に応じて撮影制御回路６０を介し撮影動作を制御する。タイマ７４は時計回路を内蔵し、計時情報をＣＰＵ５０に供給する。ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ本体１００の動作に必要な設定情報等を記憶している。ＲＡＭ７０は揮発性のメモリであって、ＣＰＵ５０の一時的作業領域として用いられる。またＣＰＵ５０は装着された着脱式付属部とデータ／制御バス＆電源ライン５１およびコネクタ１４、１５を介し通信し、着脱式付属部の特性・機能に関する情報を得る。
【００３０】
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。　アナログ処理部５７はＣＣＤ５５が光電変換した画像信号を所定のタイミングでサンプリングし、そのサンプリングした信号を所定のレベルに増幅する。Ａ／Ｄ変換回路５８（アナログデジタル変換回路）はアナログ処理部５７でサンプリングした画像信号をデジタル化することによりデジタルデータに変換し、撮影バッファメモリ５９は該デジタルデータを一旦格納する。
【００３１】
撮影制御回路６０は動作モードが撮影モードに設定されている間は上述の動作を繰り返すとともに、装着された着脱式外部表示装置側ではデータ／制御バス＆電源ライン５１を介して撮影バッファメモリ５９に順次格納されるデジタルデータを読み出し、該デジタルデータを着脱式外部表示装置側の表示画面の特性（画素数、表示素子の違い等）に応じて表示用画像データに変換し、着脱式外部表示装置側の表示画面に表示させるというスルー画像表示動作を繰り返す。撮影制御回路６０は撮影バッファメモリ５９に格納したデジタルデータの高周波成分の度合い解析して撮影レンズ１０の焦点調節状態を検出し、検出結果に応じてレンズ駆動回路５２により撮影レンズ１０の焦点調節を行う。
【００３２】
レリーズ時に撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成する。ＣＰＵ５０は該画像データをメモリカード７７に保存する。
【００３３】
再生モードにおいては、装着された着脱式外部表示装置側ではデータ／制御バス＆電源ライン５１を介してメモリカード７７に保存された画像データを読み出し、該画像データを着脱式外部表示装置側の表示画面の特性（画素数、表示素子の違い等）に応じて表示用画像データに変換し、着脱式外部表示装置側の表示画面に表示させるという画像再生表示動作を行う。なおＣＰＵ５０は電子カメラ本体１００に着脱式外部表示装置が装着されていない場合には、再生モードの動作を行わない。
【００３４】
図１７は、着脱式外部表示装置２００の内部の電気構成例を示すブロック図であって、各構成要素は各種情報データおよび制御データの伝送と電力の伝送を担うデータ／制御バス＆電源ライン２５１を介して互いに接続されている。データ／制御バス＆電源ライン２５１はコネクタ２１４を経由して電子カメラ本体のデータ／制御バス＆電源ラインに繋がる。着脱式外部表示装置２００は、画像データの表示を実行する画面制御回路２９２を中心とするブロック、操作キー２６５等のユーザーインターフェースと各制御回路に対する統括制御を行うＣＰＵ２５０（中央処理ユニット）を中心とするブロックとから構成され、電力は電子カメラ本体１００から供給される。
【００３５】
ＣＰＵ２５０は着脱式外部表示装置２００全体の制御を行う手段であって、着脱検知ＳＷ２８０などからの入力情報に応じて画面制御回路２９２などへの各種指示を行う。着脱検知ＳＷ２８０は着脱式外部表示装置２００が電子カメラ本体のどのコネクタにどの方向で装着されているか検出するスイッチである。ＣＰＵ２５０は、ＲＯＭ２６７（リードオンリメモリ）に記憶されている制御プログラムに従い各部を制御する。ＥＥＰＲＯＭ２６８（電気的消去書き込み可能ＲＯＭ）は不揮発性のメモリであって、着脱式外部表示装置２００の動作に必要な設定情報等を記憶している。ＲＡＭ２７０は揮発性のメモリであって、ＣＰＵ２５０の一時的作業領域として用いられる。またＣＰＵ２５０は装着した電子カメラ本体とデータ／制御バス＆電源ライン２５１およびコネクタ２１４を介し通信し、装着した電子カメラ本体の特性・機能に関する情報を得る。
【００３６】
画面制御回路２９２は電子カメラ本体に装着時に、撮影モードにおいては電子カメラ本体の撮像素子により連続的に生成されたデジタルデータをデータ／制御バス＆電源ライン２５１、コネクタ２１４経由でフレームメモリ２６９に読出し、該デジタルデータを表示用画像データに変換してフレームメモリ２６９に再格納し、該表示用画像データを発光型表示画面２２１または／および反射型表示画面２２２に表示させるというスルー画像表示動作を繰り返す。また画面制御回路２９２は電子カメラ本体に装着時に、再生モードにおいては電子カメラ本体の指示にしたがって電子カメラ本体のメモリカードに格納されている画像データをデータ／制御バス＆電源ライン２５１、コネクタ２１４経由でフレームメモリ２６９に読出し、該画像データを表示用画像データに変換してフレームメモリ２６９に再格納し、該表示用画像データを発光型表示画面２２１または／および反射型表示画面２２２に表示させるという画像再生表示動作を行う。
【００３７】
図１８および図１９は着脱式外部表示装置３００の反射型表示画面２２２を構成する表示素子の一例であって、広視野で反射効率の高い表示を行うことができる所謂電子ペーパーと呼ばれているマイクロカプセル型電気泳動方式を採用した表示素子の説明図である。この表示素子は、透明電極面を有する透明プレート４１と背面電極面を有する背面プレート４０の間に、負に帯電した黒色の粉末４３（カーボン粒子）、正に帯電した白色の粉末４４（酸化チタン粒子）を封入したマイクロカプセル４２を挟み込んだ構造となっており、透明プレート４１側から表示を観察するようになっている。図３０に示すように透明プレート４１側の透明電極面側に正、背面プレート４０の背面電極面側に負の電圧を印加すると、マイクロカプセル４２内の正に帯電した酸化チタン粒子４４が背面電極面に引き寄せられ、負に帯電したカーボン粒子４３が透明電極面に引き寄せられるので、透明プレート４１側からは、黒を表示した状態が観察される。反対に図３１に示すように透明プレート４１側の透明電極面側に負、背面プレート４０の背面電極面側に正の電圧を印加すると、マイクロカプセル４２内の正に帯電した酸化チタン粒子４４が透明電極面に引き寄せられ、負に帯電したカーボン粒子４３が背面電極面に引き寄せられるので、透明プレート４１側からは白を表示した状態が観察される。またマイクロカプセル４２内の酸化チタン粒子４４およびカーボン粒子４３は透明電極面および背面電極面への電圧印加を切ったあともそれぞれのプレート側に吸着しているために、電源ＯＮ時の表示状態が電源ＯＦＦ状態でも維持されるというメモリ特性も有している。このメモリ特性を生かして、着脱式外部表示装置２００を電子カメラ本体から分離した後も、所望の画像データを着脱式外部表示装置２００の表示画面に表示させておくこともできる。例えば電子カメラ本体で最後に撮影した画像データなどを表示しておくことにより、撮影状況のメモ代わりとして使用することができる。メモリ特性を有する表示素子としてはここで説明した電子ペーパー以外に強誘電性液晶やコレステリック液晶や高分子分散型液晶を用いた表示素子、Ｘｅｒｏｘ社により開発されたツイスティングボール素子、キャノン社により開発されたＩｎ−Ｐｌａｎｅ型の電気泳動型表示素子等の不揮発性表示機能を備えた表示素子を使用することができる。
【００３８】
図２０は、着脱式外部表示装置３００の内部の電気構成例を示すブロック図であって、各構成要素は各種情報データおよび制御データの伝送と電力の伝送を担うデータ／制御バス＆電源ライン３５１を介して互いに接続されている。データ／制御バス＆電源ライン３５１はコネクタ３１４を経由して電子カメラ本体のデータ／制御バス＆電源ラインに繋がる。着脱式外部表示装置３００は、画像データの表示を実行する画面制御回路３９２を中心とするブロック、操作キー３６５等のユーザーインターフェースと各制御回路に対する統括制御を行うＣＰＵ２５０（中央処理ユニット）を中心とするブロック、画像データを記憶・保存するメモリカード３７７のブロック、各ブロックに電力を供給する電源制御回路３６４を中心とするブロックなどから構成される。
【００３９】
着脱式外部表示装置３００の電源は電池３６３（二次電池）であり、ＣＰＵ３５０は電子カメラ本体に装着されている場合は電子カメラ本体の指示に基づき、また電子カメラ本体から分離されている場合はダイヤル３１８の操作状態に応じて電源制御回路３６４を制御する。ＣＰＵ３５０は着脱式外部表示装置３００全体の制御を行う手段であって、着脱検知ＳＷ３８０などからの入力情報に応じて画面制御回路３９２、電源制御回路３６４などへの各種指示を行う。着脱検知ＳＷ３８０は着脱式外部表示装置３００が電子カメラ本体のどのコネクタにどの方向で装着されているか検出するスイッチである。ＣＰＵ３５０は、ＲＯＭ３６７（リードオンリメモリ）に記憶されている制御プログラムに従い各部を制御する。ＥＥＰＲＯＭ３６８（電気的消去書き込み可能ＲＯＭ）は不揮発性のメモリであって、着脱式外部表示装置３００の動作に必要な設定情報等を記憶している。ＲＡＭ３７０は揮発性のメモリであって、ＣＰＵ３５０の一時的作業領域として用いられる。またＣＰＵ３５０は装着した電子カメラ本体とデータ／制御バス＆電源ライン３５１およびコネクタ３１４を介し通信し、装着した電子カメラ本体の特性・機能に関する情報を得る。
【００４０】
画面制御回路３９２は電子カメラ本体に装着時には、撮影モードにおいては電子カメラ本体の撮像素子により連続的に生成されたデジタルデータをデータ／制御バス＆電源ライン３５１、コネクタ３１４経由でフレームメモリ３６９に読出し、該デジタルデータを表示用画像データに変換してフレームメモリ３６９に再格納し、該表示用画像データを高精細な大型表示画面３２１に表示させるというスルー画像表示動作を繰り返す。また画面制御回路３９２は電子カメラ本体に装着時に、再生モードにおいては電子カメラ本体の指示にしたがって電子カメラ本体のメモリカードに格納されている画像データをデータ／制御バス＆電源ライン３５１、コネクタ３１４経由でフレームメモリ３６９に読出し、該画像データを表示用画像データに変換してフレームメモリ３６９に再格納し、該表示用画像データを高精細な大型表示画面３２１に表示させるという画像再生表示動作を行う。また画面制御回路３９２は電子カメラ本体から分離時には再生モードにおいて、メモリカード３７７に格納された画像データをフレームメモリ３６９に読出し、該画像データを表示用画像データに変換してフレームメモリ３６９に再格納し、該表示用画像データを高精細な大型表示画面３２１に表示させるという画像再生表示動作を行う。
【００４１】
図２１は着脱式電源４００の内部の電気構成例を示すブロック図であって、各構成要素は各種情報データおよび制御データの伝送と電力の伝送を担うデータ／制御バス＆電源ライン４５１を介して互いに接続されている。データ／制御バス＆電源ライン４５１はコネクタ４１４を経由して電子カメラ本体のデータ／制御バス＆電源ラインに繋がる。着脱式電源４００は、各ブロックに電力を供給する電源制御回路３６４を中心とするブロック、各制御回路に対する統括制御を行うＣＰＵ４５０（中央処理ユニット）を中心とするブロックなどから構成される。
【００４２】
着脱式電源４００の電源は電池４６３（二次電池）であり、ＣＰＵ４５０は電子カメラ本体に装着されている場合は電子カメラ本体の指示に基づき電源制御回路４６４を制御する。ＣＰＵ４５０は着脱式電源４００全体の制御を行う手段であって、着脱検知ＳＷ４８０などからの入力情報に応じて電源制御回路３６４などへの各種指示を行う。着脱検知ＳＷ４８０は着脱式電源４００が電子カメラ本体のどのコネクタにどの方向で装着されているか検出するスイッチである。ＣＰＵ４５０は、ＲＯＭ４６７（リードオンリメモリ）に記憶されている制御プログラムに従い各部を制御する。ＥＥＰＲＯＭ４６８（電気的消去書き込み可能ＲＯＭ）は不揮発性のメモリであって、着脱式電源４００の動作に必要な設定情報等を記憶している。ＲＡＭ４７０は揮発性のメモリであって、ＣＰＵ４５０の一時的作業領域として用いられる。またＣＰＵ４５０は装着した電子カメラ本体とデータ／制御バス＆電源ライン４５１およびコネクタ４１４を介し通信し、装着した電子カメラ本体の特性・機能に関する情報を得る。
【００４３】
図２２は着脱式ストロボ５００の内部の電気構成例を示すブロック図であって、各構成要素は各種情報データおよび制御データの伝送と電力の伝送を担うデータ／制御バス＆電源ライン５５１を介して互いに接続されている。データ／制御バス＆電源ライン５５１はコネクタ５１４を経由して電子カメラ本体のデータ／制御バス＆電源ラインに繋がる。着脱式ストロボ５００は、各ブロックに電力を供給する電源制御回路５６４を中心とするブロック、ストロボ動作を制御するストロボ制御回路５７３を中心とするブロック、各制御回路に対する統括制御を行うＣＰＵ５５０（中央処理ユニット）を中心とするブロックなどから構成される。
【００４４】
着脱式ストロボ５００の電源は電池５６３（二次電池）であり、ＣＰＵ５５０は電子カメラ本体に装着されている場合は電子カメラ本体の指示に基づき電源制御回路５６４を制御する。ＣＰＵ５５０は電子カメラ本体に装着されている場合は電子カメラ本体の指示に基づきストロボ制御回路５７３を制御し、ストロボ５１２を発光させる。ＣＰＵ５５０は着脱式ストロボ５００全体の制御を行う手段であって、着脱検知ＳＷ５８０などからの入力情報に応じて電源制御回路５６４などへの各種指示を行う。着脱検知ＳＷ５８０は着脱式ストロボ５００が電子カメラ本体のどのコネクタにどの方向で装着されているか検出するスイッチである。ＣＰＵ５５０は、ＲＯＭ５６７（リードオンリメモリ）に記憶されている制御プログラムに従い各部を制御する。ＥＥＰＲＯＭ５６８（電気的消去書き込み可能ＲＯＭ）は不揮発性のメモリであって、着脱式ストロボ５００の動作に必要な設定情報等を記憶している。ＲＡＭ５７０は揮発性のメモリであって、ＣＰＵ５５０の一時的作業領域として用いられる。またＣＰＵ５５０は装着した電子カメラ本体とデータ／制御バス＆電源ライン５５１およびコネクタ５１４を介し通信し、装着した電子カメラ本体の特性・機能に関する情報を得る。
【００４５】
図２３は第１の実施形態における電子カメラ本体１００（ＣＰＵ５０）の動作のメインフローチャートであり、Ｓ１０でダイヤル１８の操作による電源ＯＮでスタートすると、Ｓ１１で装着された着脱式外部表示装置の表示画面にスルー画像を表示させない設定（表示ＯＦＦ設定）にし、Ｓ１２でダイヤル１８が撮影モードに設定されているかチェックし、撮影モードに設定されている場合はＳ２０の撮影モードのサブルーチンを実行し、Ｓ１２に戻る。撮影モードに設定されていない場合はＳ１３でダイヤル１８が再生モードに設定されているかチェックし、再生モードに設定されている場合はＳ３０の再生モードサブルーチンが実行され、Ｓ１４で表示ＯＦＦ設定を行いＳ１２に戻る。再生モードに設定されていない場合即ち電源ＯＦＦに設定された場合はＳ１５で電源をＯＦＦする。
【００４６】
図２４は第１の実施形態における電子カメラ本体１００の表示ボタン２７の操作により起動される表示割込み処理サブルーチンの詳細フローチャートであって、Ｓ１００で表示ボタン２７の操作により起動すると、Ｓ１０１で表示設定がＯＮであるかチェックし、ＯＮである場合は表示をＯＦＦに設定しＳ１０５でリターンする。表示設定がＯＦＦであった場合はＳ１０３で表示設定をＯＮにし、Ｓ１０４で装着された着脱式外部表示装置の特性に応じた表示タイマＯＦＦ時間をタイマ７４にセットし、タイマ７４をリセットスタートさせ、Ｓ１０５でリターンする。Ｓ１０４で行われる装着された着脱式外部表示装置の特性に応じた表示タイマＯＦＦ時間は、例えば以下のように行われる。まず着脱式外部表示装置と通信し、電源の有無、電源状況（残電力容量）、消費電力等の情報を得る。次に着脱式外部表示装置が電源を内蔵していた場合は、電源を内蔵していない場合よりも表示タイマＯＦＦ時間を長く設定する。また消費電力が大きいほど表示タイマＯＦＦ時間を短く設定する。また着脱式外部表示装置が電源を内蔵していた場合は、該電源の残電力容量が小さくなるにつれ表示タイマＯＦＦ時間を短く設定する。また着脱式外部表示装置が電源を内蔵していない場合は、電子カメラ本体１００の電源の残電力容量が小さくなるにつれ表示タイマＯＦＦ時間を短く設定する。このようにすれば、着脱式外部表示装置の電源状態、電力消費状態に応じて適切に表示タイマＯＦＦ時間を設定でき、電子カメラ本体１００に内蔵された電池６３の無駄な消耗を防止することができる。
【００４７】
図２５は第１の実施形態における電子カメラ本体１００のタイマ７４のカウントアップにより起動されるタイマ割込み処理サブルーチンの詳細フローチャートであって、Ｓ１１０でタイマ７４の計時時間が設定された表示タイマＯＦＦ時間に達したことにより起動すると、Ｓ１１１で表示設定をＯＦＦに設定する。Ｓ１１２で撮影モードであるかチェックし、撮影モードでない場合はＳ１１４でリターする。撮影モードであった場合は、Ｓ１１３で装着された着脱式外部表示装置によるスルー画像表示を停止させ、Ｓ１１４でリターンする。
【００４８】
図２６は第１の実施形態における電子カメラ本体１００の撮影モードサブルーチンの詳細フローチャートであって、Ｓ２０で起動すると、Ｓ２０１で着脱式外部表示装置の装着の有無、装着された着脱式外部表示装置の機能・特性に応じてシーンモード（撮影シーンに応じてカメラの諸機能が設定される）が設定され、Ｓ２０２に進む。シーンモードには例えば以下のようなものがある。風景モード：風景を撮影するのに適したシーンモードで、露出は絞り優先（絞り値は手動で設定され、シャッター速度は輝度値と絞り値に応じて設定される）、ＡＦ（オートフォーカス）はワンショットＡＦ（一度合焦が判断されると、自動焦点調節のための撮影レンズ駆動が禁止される）となる。ポートレートモード：人物撮影に適したシーンモードで、背景をぼかして人物を浮き上がらせるために露出は開放絞り（絞り値は開放に設定され、シャッター速度は輝度値と絞り開放値に応じて設定される）、ＡＦはワンショットＡＦとなる。スポーツモード：動きがある被写体を撮影するのに適したシーンモードで、露出はシャッター速度優先（シャッター速度は手動で設定され、絞り値は輝度値とシャッター速度に応じて設定される）、ＡＦはコンティニュアスＡＦ（自動焦点調節のための撮影レンズ駆動が常時許可される）となる。夜景モード：夜景撮影に適したシーンモードで、露出はＣＣＤ５０の感度を最大とし、ＡＦは禁止される。スナップモード：スナップ撮影に適したシーンモードで、露出はプログラム（輝度値に応じて予め定められた組み合わせの絞り値とシャッター速度が設定される）、ＡＦはワンショットＡＦとなる。セルフタイマモード：セルフタイマ撮影に適したシーンモードで、露出はプログラム、ＡＦはコンティニュアスＡＦ、撮影遅延（レリーズボタン操作から所定時間後に撮影を実行する）ありとなる。パンフォーカスモード：近距離から遠距離までシャープに写るように露出は最小絞り（絞り値は最小絞りに設定され、シャッター速度は輝度値と最小絞り値に応じて設定される）、ＡＦは禁止となる。
【００４９】
Ｓ２０１ではまず着脱式外部表示装置との通信や着脱検知ＳＷ８０、８１からのデータに基づき、表示画面のサイズ、表示画素数、表示応答速度、反射型か発光型か、表示がカラーか白黒か、メモリ特性があるか、表示画面の数、コネクタの装着方向、コネクタの装着箇所、電源の有無、電源状況（残電力容量）、消費電力等の情報を得る。次に得られた情報に基づき、例えば小型の表示画面を有する着脱式外部表示装置がコネクタ１４に装着されていた場合には、電子カメラ全体がコンパクトに構成されるので、スナップ撮影に適するようシーンモードをスナップ撮影モードとする。また例えば２つの表示画面を有する着脱式外部表示装置がコネクタ１５に装着されていた場合には、被写体となる人物にスルー画像を見せることを想定して、シーンモードをポートレートモードとする。また例えば１つの表示画面を有する着脱式外部表示装置が表示画面を被写体側に向けられてコネクタ１５に装着されていた場合には、セルフタイマ撮影であることを想定して、シーンモードをセルフタイマモードとする。また例えば発光型の表示画面を備えた着脱式外部表示装置が装着されていた場合には、夜景撮影が行われることを想定してシーンモードを夜景モードとする。また例えば白黒の表示画面を備えた着脱式外部表示装置が装着されていた場合には、芸術性のある撮影が行われることを想定してシーンモードを風景モードまたはポートレートモードとする。また例えば大型の表示画面を備えた着脱式外部表示装置が装着されていた場合には、じっくり構図を確認しながら撮影を行うことを想定して、シーンモードを風景モードまたはポートレートモードとする。また例えば応答速度が高速な表示画面を備えた着脱式外部表示装置が装着されていた場合には、動きのある被写体を撮影することを想定してシーンモードをスポーツモードとする。また例えばメモリ特性を有する表示画面を備えた着脱式外部表示装置が装着されていた場合には、電源ＯＦＦ時に待ち受け画面として撮影画像が表示されることを想定して、シーンモードを風景モードまたはポートレートモードとする。また例えば電源を内蔵しない着脱式外部表示装置が装着されていた場合には、電源を内蔵しないことにより達成される電子カメラのコンパクト性を考慮して、シーンモードをスナップモードとする。また消費電力の小さな表示画面を備えた電源を内蔵した着脱式外部表示装置が装着されていた場合には、長時間に渡ってじっくり撮影することを想定して、シーンモードを風景モードまたはポートレートモードとする。また例えば着脱式外部表示装置が装着されていない場合には、それにより電子カメラがコンパクトになることを想定して、シーンモードをスナップモードとする。また例えば電源を内蔵していない着脱式外部表示装置が装着され、電子カメラ本体１００の残電力容量が少なくなってきた場合には、電子カメラ本体１００の電力を節約するためにシーンモードをパンフォーカスモードとする。
【００５０】
Ｓ２０２では着脱式外部表示装置の装着の有無、装着された着脱式外部表示装置の機能・特性に応じて記録モード（メモリカード７７に格納される画像データのフォーマットや圧縮の有無）が設定され、Ｓ２０３に進む。記録モードには例えば以下のようなものがある。高品質モード：全生データを非圧縮で記録する。ノーマルモード：全画素データをＪＰＥＧ圧縮で記録する。ベーシックモード：間引き画素データをＪＰＥＧ圧縮で記録する。Ｓ２０２ではまず着脱式外部表示装置との通信や着脱検知ＳＷ８０、８１からのデータに基づき、表示画面のサイズ、表示画素数、表示応答速度、反射型か発光型か、表示がカラーか白黒か、メモリ特性があるか、表示画面の数、コネクタの装着方向、コネクタの装着箇所、電源の有無、電源状況（残電力容量）、消費電力等の情報を得る。次に得られた情報に基づき、例えば小型の表示画面を有する着脱式外部表示装置がコネクタ１４に装着されていた場合には、電子カメラ全体がコンパクトに構成されるので、スナップ撮影に適するよう記録モードをベーシックモードとする。また例えば２つの表示画面を有する着脱式外部表示装置がコネクタ１５に装着されていた場合には、被写体となる人物に撮影した画像データを渡すことを想定して、記録モードを高品質モードとする。また例えば１つの表示画面を有する着脱式外部表示装置が表示画面を被写体側に向けられてコネクタ１５に装着されていた場合には、セルフタイマ撮影であることを想定して、記録モードをノーマルモードとする。また例えば発光型の表示画面を備えた着脱式外部表示装置が装着されていた場合には、夜景撮影が行われることを想定して記録モードをノーマルモードとする。また例えば白黒の表示画面を備えた着脱式外部表示装置が装着されていた場合には、芸術性のある撮影が行われることを想定して記録モードを高品質モードとする。また例えば大型の表示画面を備えた着脱式外部表示装置が装着されていた場合には、じっくり構図を確認しながら撮影を行うことを想定して、記録モードを高品質モードとする。また例えば応答速度が高速な表示画面を備えた着脱式外部表示装置が装着されていた場合には、動きのある被写体を連続して撮影することを想定して記録モードをベーシックモードとする。また例えばメモリ特性を有する表示画面を備えた着脱式外部表示装置が装着されていた場合には、電源ＯＦＦ時に待ち受け画面として撮影画像が表示されることを想定して、記録モードをベーシックモードまたはノーマルモードとする。また例えば電源を内蔵しない着脱式外部表示装置が装着されていた場合には、電源を内蔵しないことにより達成される電子カメラのコンパクト性を考慮して、記録モードをベーシックモードとする。また消費電力の小さな表示画面を備えた電源を内蔵した着脱式外部表示装置が装着されていた場合には、長時間に渡ってじっくり撮影することを想定して、記録モードを高品質モードとする。また例えば着脱式外部表示装置が装着されていない場合には、それにより電子カメラがコンパクトになることを想定して、記録モードをベーシックモードとする。また例えば電源を内蔵していない着脱式外部表示装置が装着され、電子カメラ本体１００の残電力容量が少なくなってきた場合には、電子カメラ本体１００の電力を節約するために記録モードをベーシックモードとする。
【００５１】
Ｓ２０３で表示設定がＯＮとなっているかチェックし、ＯＦＦになっている場合はＳ２０９に進む。ＯＮになっている場合はＳ２０４で着脱式外部表示装置が装着されているかチェックし、装着されていない場合はＳ２０９に進む。装着されている場合は、Ｓ２０５で装着されている着脱式外部表示装置が電源を内蔵しているかチェックし、電源を内蔵している場合にはＳ２０８に進む。電源を内蔵していない場合には、Ｓ２０６で電子カメラ本体１００の電源（着脱式電源が装着されている場合は該電源を含む）の残電力容量が所定値以下であるかチェックし、所定値以下である場合は表示設定をＯＦＦにしてＳ２０９に進む。残電力容量が所定値以上の場合はＳ２０８で装着された着脱式外部表示装置の特性・機能と装着箇所に応じてスルー画像を表示させ、Ｓ２０９に進む。
【００５２】
Ｓ２０８ではまず着脱式外部表示装置との通信や着脱検知ＳＷ８０、８１からのデータに基づき、表示画面のサイズ、表示画素数、表示応答速度、反射型か発光型か、表示がカラーか白黒か、メモリ特性があるか、表示画面の数、コネクタの装着方向、コネクタの装着箇所、電源の有無、電源状況（残電力容量）、消費電力等の情報を得る。次に得られた情報に基づき、例えば２つの表示画面を有する着脱式外部表示装置がコネクタ１４に装着されていた場合には、電子カメラ本体１００の背面に出ている表示画面にスルー画像を表示させる。また例えば２つの表示画面を有する着脱式外部表示装置がコネクタ１５に装着されていた場合には、該２つの表示画面に同時にスルー画像を表示させる。また例えば発光型の表示画面を備えた着脱式外部表示装置が装着されていた場合には、測光回路１３が検出した輝度に応じて発光輝度を調整（検出輝度が高いほど、発光輝度を高める）させる。また例えば白黒の表示画面を備えた着脱式外部表示装置が装着されていた場合には、色差による被写体の確認ができないので、スルー画像データに輪郭強調画像処理を電子カメラ本体１００または着脱式外部表示装置で施し、画像処理後のスルー画像を装着された着脱式外部表示装置で表示させる。また例えば小型の表示画面を備えた着脱式外部表示装置が装着されていた場合には、表示画面によるピントの確認や構図確認が困難になるので、スルー画像データに輪郭強調や彩度強調するような画像処理を電子カメラ本体１００または着脱式外部表示装置で施し、画像処理後のスルー画像を装着された着脱式外部表示装置で表示させる。また例えば応答速度が遅い表示画面を備えた着脱式外部表示装置が装着されていた場合には、電子カメラ本体１００の撮像素子（ＣＣＤ５５）の動作周期を落として画像データがリフレッシュされる周期を長くすることにより、表示画面の応答速度に合わせてスルー画像を表示させる。このようにすれば電子カメラ本体１００の消費電力を押さえることができる。また例えばメモリ特性を有する表示画面を備えた着脱式外部表示装置が装着されていた場合には、直前に表示されたスルー画像と今回表示されるスルー画像との間で変化がある表示画素部分（差分データ）のみを電子カメラ本体１００または着脱式外部表示装置で抽出し、抽出された表示画素のみ着脱式外部表示装置で更新表示することにより、スルー画像表示に要する電力を節約することができる。また例えば消費電力の大きな表示画面を備えた電源を内蔵しない着脱式外部表示装置が装着されていた場合には、消費電力の小さな表示画面を備えた電源を内蔵しない着脱式外部表示装置が装着されていた場合に比較して、スルー画像のリフレッシュ周期を長くしたり、発光型表示画面の発光輝度を下げることにより、電子カメラ本体１００の消費電力を押さえることができる。また例えば電源を内蔵していない着脱式外部表示装置が装着されていた場合には、電源を内蔵している着脱式外部表示装置が装着されていた場合に比較して、スルー画像のリフレッシュ周期を長くしたり、発光型表示画面の発光輝度を下げることにより、電子カメラ本体１００の消費電力を押さえることができる。また例えば電源を内蔵していない着脱式外部表示装置が装着されていた場合には、電子カメラ本体１００の残電力容量が小さくなるにつれ、スルー画像のリフレッシュ周期を長くしたり、発光型表示画面の発光輝度を下げることにより、電子カメラ本体１００の消費電力を押さえることができる。なお上述の電子カメラ本体１００から装着された着脱式外部表示装置への各種制御は、電子カメラ本体１００のＣＰＵ５０が着脱式外部表示装置のＣＰＵに直接通信により指示してもいいし、電子カメラ本体１００のＣＰＵ５０が各種制御情報データを一旦ＲＡＭ７０に格納し、格納された各種制御情報データを着脱式外部表示装置のＣＰＵがＲＡＭ７０から読み出すことによって行われるようにしてもよい。また電子カメラ本体１００の撮像素子の画素数、カラー方式と着脱式外部表示装置の表示画面の表示画素数、カラー方式、表示方式とのマッチングや変換は着脱式外部表示装置側で行われる。このようにすれば、電子カメラ本体１００が市場に出た後から開発された着脱式外部表示装置でも電子カメラ本体１００に装着して使用することができるとともに、電子カメラ本体１００側の負担を軽減することができる。
【００５３】
Ｓ２０９ではメモリカード７７が装着されかつレリーズボタン１６が操作されたかチェックし、否定された場合はそのままＳ２１４でリターンし、肯定された場合はＳ２１０で低輝度かつ着脱式ストロボが装着されているかチェックし、肯定された場合はＳ２１１でＳ２０１で設定されたシーンモードで着脱式ストロボを発光して撮影を実行しＳ２１３に進み、否定された場合はＳ２１２でＳ２０１で設定されたシーンモードでストロボ発光なしの通常撮影を実行しＳ２１３に進む。Ｓ２１３ではＳ２０２で設定された記録モードに基づき画像データに撮影日時データを付加してメモリカード７７に記録し、Ｓ２１４でリターンする。
【００５４】
図２７は第１の実施形態における電子カメラ本体１００の再生モードサブルーチンの詳細フローチャートであって、Ｓ３０で起動すると、Ｓ３０１でメモリカード７７が装着されているかチェックし、装着されていない場合は画像再生ができないのでＳ３０８でリターンする。装着されている場合は、Ｓ３０２で着脱式外部表示装置が装着されているかチェックし、装着されていない場合は画像再生ができないのでＳ３０８でリターンする。装着されている場合はＳ３０３で現在再生モードにおける画像データの再生中であるかチェックし、画像データの再生中でない場合は、Ｓ３０４で初期状態としてメモリカード７７に格納されている最新の画像データ（撮影日時データが最も新しい画像データ）を再生画像データとして指定しＳ３０７に進む。画像データの再生中である場合は、Ｓ３０５で左ボタン２５または右ボタン２６が操作されたかチェックし、操作されていない場合は再生している画像データを変更する必要がないのでＳ３０８でリターンする。操作された場合は、Ｓ３０６で操作されたボタンに応じて再生画像データを指定しＳ３０７に進む。即ち左ボタン２５が操作された場合は、現在再生中の画像データより撮影日時データの順番が一つ古い画像データが再生画像データとして指定され、右ボタン２６が操作された場合は、現在再生中の画像データより撮影日時データの順番が一つ新しい画像データが再生画像データとして指定される。Ｓ３０７で装着された着脱式外部表示装置の特性・機能と装着箇所に応じて再生画像を表示させ、Ｓ３０８でリターンする。
【００５５】
Ｓ３０７ではまず着脱式外部表示装置との通信や着脱検知ＳＷ８０、８１からのデータに基づき、表示画面のサイズ、表示画素数、表示応答速度、反射型か発光型か、表示がカラーか白黒か、メモリ特性があるか、表示画面の数、コネクタの装着方向、コネクタの装着箇所、電源の有無、電源状況（残電力容量）、消費電力等の情報を得る。次に得られた情報に基づき、例えば２つの表示画面を有する着脱式外部表示装置がコネクタ１４に装着されていた場合には、電子カメラ本体１００の背面に出ている表示画面に再生画像を表示させる。また例えば２つの表示画面を有する着脱式外部表示装置がコネクタ１５に装着されていた場合には、該２つの表示画面に同時に再生画像を表示させる。また例えば発光型の表示画面を備えた着脱式外部表示装置が装着されていた場合には、測光回路１３が検出した輝度に応じて発光輝度を調整（検出輝度が高いほど、発光輝度を高める）させる。また例えば白黒の表示画面を備えた着脱式外部表示装置が装着されていた場合には、色差による被写体の確認ができないので、再生画像データに輪郭強調画像処理を電子カメラ本体１００または着脱式外部表示装置で施し、画像処理後の再生画像を装着された着脱式外部表示装置で表示させる。また例えば小型の表示画面を備えた着脱式外部表示装置が装着されていた場合には、表示画面によるピントや細かい部分の確認が困難になるので、再生画像データに輪郭強調や彩度強調するような画像処理を電子カメラ本体１００または着脱式外部表示装置で施し、画像処理後の再生画像を装着された着脱式外部表示装置で表示させる。また例えば応答速度が遅い表示画面を備えた着脱式外部表示装置が装着されている状態で動画再生を行う場合には、動画再生の画面切換え速度を表示画面の応答速度に合わせて再生画像を表示させる。また例えばメモリ特性を有する表示画面を備えた着脱式外部表示装置で動画再生を行う場合には、直前に表示された再生画像と次に表示される再生画像との間で変化がある表示画素部分（差分データ）のみを電子カメラ本体１００または着脱式外部表示装置で抽出し、抽出された表示画素のみ着脱式外部表示装置で更新表示することにより、再生画像表示に要する電力を節約することができる。また例えば消費電力の大きな表示画面を備えた電源を内蔵しない着脱式外部表示装置が装着されていた場合には、消費電力の小さな表示画面を備えた電源を内蔵しない着脱式外部表示装置が装着されていた場合に比較して、動画再生時の画像切換え速度を遅くしたり、発光型表示画面の発光輝度を下げることにより、電子カメラ本体１００の消費電力を押さえることができる。また例えば電源を内蔵していない着脱式外部表示装置が装着されていた場合には、電源を内蔵している着脱式外部表示装置が装着されていた場合に比較して、動画再生時の画像切換え速度を遅くしたり、発光型表示画面の発光輝度を下げることにより、電子カメラ本体１００の消費電力を押さえることができる。また例えば電源を内蔵していない着脱式外部表示装置が装着されていた場合には、電子カメラ本体１００の残電力容量が小さくなるにつれ、動画再生時の画像切換え速度を遅くしたり、発光型表示画面の発光輝度を下げることにより、電子カメラ本体１００の消費電力を押さえることができる。
【００５６】
図２８は第１の実施形態における着脱式外部表示装置２００（ＣＰＵ２５０）の動作のメインフローチャートであり、Ｓ４０で電子カメラ本体への装着または装着された電子カメラ本体の電源ＯＮにより電力が供給されスタートすると、Ｓ４０１で本体の指示にしたがって、スルー画像または指定された再生画像を表示画面Ｓ２２１または／および表示画面Ｓ２２２に表示するという動作を以後着脱式外部表示装置２００が電子カメラ本体から分離されるか、電子カメラ本体の電源がＯＦＦされるまで繰り返す。
【００５７】
図２９は第１の実施形態における着脱式外部表示装置３００（ＣＰＵ３５０）の動作のメインフローチャートであり、Ｓ５０でダイヤル３１８の操作または電子カメラ本体への装着により電源がＯＮしスタートすると、Ｓ５０１で電子カメラ本体に装着されているかチェックする。なおこのチェックは着脱検知ＳＷ３８０の出力データおよび着脱式外部表示装置３００のＣＰＵ３５０が電子カメラ本体のＣＰＵと通信することによって得られる情報に基づいて行われる。電子カメラ本体に装着されている場合はＳ５０２で電子カメラ本体の電源がＯＦＦであるかチェックし、電源ＯＦＦである場合はＳ５０３で着脱式外部表示装置３００の電源をＯＦＦし、電源ＯＦＦでない場合はＳ５０４で着脱式外部表示装置３００の電源をＯＮし、Ｓ５０５で本体の指示にしたがって、スルー画像または指定された再生画像を表示画面３２１に表示してＳ５０１に戻る。なお電子カメラ本体に装着されてから着脱式外部表示装置３００の電源がＯＮするまでは、電子カメラ本体から電力が供給される。
【００５８】
Ｓ５０１で電子カメラ本体に装着されていない場合は、Ｓ５０６でダイヤル３１８が電源ＯＦＦに設定されているかチェックし、電源ＯＦＦに設定されている場合は、Ｓ５０７で電源をＯＦＦする。電源ＯＦＦに設定されていない場合はＳ５０８でメモリカード３７７が装着されているかチェックし、装着されていない場合は画像再生ができないのでＳ５０１に戻る。装着されている場合は、Ｓ５０９で現在画像データの再生中であるかチェックし、画像データの再生中でない場合は、初期状態としてメモリカード３７７に格納されている最新の画像データ（撮影日時データが最も新しい画像データ）を再生画像データとして指定しＳ５１３に進む。画像データの再生中である場合は、Ｓ５１１で左ボタン３２５または右ボタン３２６が操作されたかチェックし、操作されていない場合は再生している画像データを変更する必要がないのでＳ５０１に戻る。操作された場合は、Ｓ５１２で操作されたボタンに応じて再生画像データを指定しＳ５１３に進む。即ち左ボタン３２５が操作された場合は、現在再生中の画像データより撮影日時データの順番が一つ古い画像データが再生画像データとして指定され、右ボタン３２６が操作された場合は、現在再生中の画像データより撮影日時データの順番が一つ新しい画像データが再生画像データとして指定される。Ｓ５１３で指定された再生画像データをメモリカード３７７から読出して表示画面３２１に表示しＳ５０１に戻る。
【００５９】
図３０は第１の実施形態における着脱式電源４００（ＣＰＵ４５０）の動作のメインフローチャートであり、Ｓ６０で電子カメラ本体への装着または装着されている電子カメラ本体の電源ＯＮによりスタートすると、Ｓ６０１で電子カメラ本体の電源がＯＦＦであるかチェックし、電源ＯＦＦである場合はＳ６０２で着脱式電源４００の電源をＯＦＦし、電源ＯＦＦでない場合はＳ６０３で着脱式電源４００の電源をＯＮし、Ｓ６０１に戻る。なお電子カメラ本体に装着されてから着脱式電源４００の電源がＯＮするまでは、電子カメラ本体から電力が供給される。
【００６０】
図３１は第１の実施形態における着脱式ストロボ５００（ＣＰＵ５５０）の動作のメインフローチャートであり、Ｓ７０で電子カメラ本体への装着または装着されている電子カメラ本体の電源ＯＮによりスタートすると、Ｓ７０１で電子カメラ本体の電源がＯＦＦであるかチェックし、電源ＯＦＦである場合はＳ７０２で着脱式ストロボ５００の電源をＯＦＦし、電源ＯＦＦでない場合はＳ７０３で着脱式ストロボ５００の電源をＯＮし、Ｓ７０４で本体の指示にしたがってストロボを発光しＳ７０１に戻る。なお電子カメラ本体に装着されてから着脱式ストロボ５００の電源がＯＮするまでは、電子カメラ本体から電力が供給される。
【００６１】
次に本発明の第２の実施形態について説明する。上述した第１の実施形態では撮影レンズ、撮像素子、記憶手段（メモリカード）、各種操作キーを含む電子カメラ本体部に表示画面を備えた着脱式外部表示装置を交換して装着することにより電子カメラシステムが構成されているが、第２の実施形態では、撮影レンズと撮像素子を含む着脱式外部カメラ装置を記憶手段（メモリカード）、各種操作キー、表示画面を含む電子カメラ本体部に交換して装着することにより電子カメラシステムが構成される点が異なっている。また第２の実施形態では、着脱式外部カメラ装置と電子カメラ本体部はそれぞれ無線通信装置を備え、着脱式外部カメラ装置と電子カメラ本体部を分離した状態においても無線通信により電子カメラとして動作可能である点が第１の実施形態と異なっている。図３２は本発明の第２の実施形態の電子機器システム（図３２では電子カメラシステム）の構成図である。複数種類の電子カメラ本体８００、９００等の電子カメラ本体部にはそれぞれ複数種類の着脱式外部カメラ装置６００、７００等の付属部が装着可能なシステムとなっており、ユーザは撮影状況に応じて、電子カメラ本体部と着脱式外部カメラ装置を組み合わせて使用することができる。
【００６２】
例えばスナップ撮影を行う場合には、小型の筐体も持つ電子カメラ本体部とワイド系の撮影レンズと１００万〜２００万の画素数を持った撮像素子を備えた着脱式外部カメラ装置を組み合わせることにより軽快に撮影が行なうことができる。また大きな表示画面を備えた電子カメラ本体部と画素数が４００万以上の撮像素子を備えた着脱式外部カメラ装置を組み合わせることにより、構図やピントをしっかり確認しながらポートレート撮影や風景撮影をじっくり行うこともできる。
【００６３】
付属部が装着された電子カメラ本体部は装着された付属部の機能や種類を識別し、電子カメラ全体がシステムとしてユーザにとって使い勝ってがよくなるように自動的に電子カメラ全体の動作を制御する。例えば装着された着脱式外部カメラ装置の撮像素子の画素数が多い場合には画素数を圧縮（合成または間引き）し、また画素数が少ない場合には画素数を伸張（補間）し、電子カメラ本体部に組み込まれた表示画面の表示画素数にマッチングさせて表示する。また電子カメラ本体部は装着された着脱式外部カメラ装置の機能や性能に応じて電子カメラのシーンモード設定を行う。例えば装着した着脱式外部カメラ装置の撮像素子の画素数やカラー／白黒の違いや応答性や感度、撮影レンズの焦点距離や開放絞り値等に応じて該着脱式外部カメラ装置に適するシーンモード（風景モード、スポーツモード、夜景モード、ポートレートモード、スナップモードなど）を自動的に設定する。また電子カメラ本体部は装着された着脱式外部カメラ装置の機能や性能に応じて電子カメラの記録モードの設定を行う。例えば装着した着脱式外部カメラ装置の撮像素子の画素数やカラー／白黒の違いや応答性や感度、撮影レンズの焦点距離や開放絞り値等に応じて該着脱式外部カメラ装置に適する記録モード（高品質モード、ノーマルモード、ベーシックモードなど）を自動的に設定する。
【００６４】
図３３および図３４は、本発明の第２の実施形態に適用される着脱式外部カメラ装置６００の外観図（正面視および背面視）である。図３３に示すように着脱式外部カメラ装置６００の前面には被写体像を形成するためのワイド系の撮影レンズ６１０、被写体の明るさを検知するための測光回路６１３、分離使用時に電源をＯＮするための電源ボタン６１７（操作に応じて電源ＯＮ／ＯＦＦが反転する）が備えられる。着脱式外部カメラ装置６００の正面から見た右側面には電子カメラ本体に対し機械的かつ電気的に装着するためのコネクタ６１５が備えられる。図３４に示すように、着脱式外部カメラ装置６００の背面の中央部分は電子カメラ本体に対し機械的かつ電気的に装着するためのコネクタ６１４が備えられる。
【００６５】
図３５は、本発明の第２の実施形態に適用される着脱式外部カメラ装置７００の外観図（正面視）である。図３５に示すように着脱式外部カメラ装置７００の前面には被写体像を形成するためのテレ系の撮影レンズ７１０、被写体の明るさを検知するための測光回路７１３、分離使用時に電源をＯＮするための電源ボタン７１７（操作に応じて電源ＯＮ／ＯＦＦが反転する）が備えられる。着脱式外部カメラ装置７００の正面から見た右側面には電子カメラ本体に対し機械的かつ電気的に装着するためのコネクタ７１５が備えられる。また着脱式外部カメラ装置７００の不図示の背面の中央部分は図３４と同様に電子カメラ本体に対し機械的かつ電気的に装着するためのコネクタ７１４が備えられる。
【００６６】
図３６および図３７は、本発明の第２の実施形態に適用される電子カメラ本体８００の外観図（正面視および背面視）である。図３６に示すように電子カメラ本体８００の前面には撮影時に被写体を照明するストロボ８１２、着脱式の付属部を機械的かつ電気的に装着するためのコネクタ８１４と、着脱式の付属部を着脱する際に操作されるロック解除ボタン８１９が備えられ、上面には撮影を指示するためのレリーズボタン８１６、着脱式の付属部を機械的かつ電気的に装着するためのコネクタ８１７が備えられる。また電子カメラ本体８００の正面から見た右側面には着脱式の付属部を機械的かつ電気的に装着するためのコネクタ８１５が備えられる。図３７に示すように、電子カメラ本体８００の背面右上には電子カメラ全体の電源ＯＮ／ＯＦＦと動作モード（撮影モードと再生モード）の切換えのために操作されるダイヤル８１８と該ダイヤル８１８の切換え位置を示すドット８２０が配置され、背面の下側には再生画像の切換えに用いられる左方向ボタン８２５、右方向ボタン８２６が配置される。背面からみて右側の側面には画像データ保存用のメモリカード８７７（着脱式記憶媒体）を装着するためのメモリカードスロット８３１と電池を収納するための電池スロット８３０が備えられる。
【００６７】
図３８および図３９は、本発明の第２の実施形態に適用される電子カメラ本体９００の外観図（正面視および背面視）である。図３８に示すように前面左側に電子カメラ全体の電源ＯＮ／ＯＦＦと再生モードを切換えるために操作されるダイヤル９１８と該ダイヤル９１８の切換え位置を示すドット９２０が配置され、その下側には再生画像の切換えに用いられる左方向ボタン９２５、右方向ボタン９２６が配置される。また前面左上には撮影時に被写体を照明するストロボ９１２、前面右側には着脱式の付属部を機械的かつ電気的に装着するためのコネクタ９１４と、右下には着脱式の付属部を着脱する際に操作されるロック解除ボタン９１９が備えられ、上面には撮影を指示するためのレリーズボタン９１６、着脱式の付属部を機械的かつ電気的に装着するためのコネクタ９１７が備えられる。電子カメラ本体９００の正面から見た右側面には画像データ保存用のメモリカード９７７（着脱式記憶媒体）を装着するためのメモリカードスロット９３１と電池を収納するための電池スロット９３０が備えられる。図３９に示すように、電子カメラ本体９００の背面のほぼ全面にはテキストおよび画像表示用の長方形の画面を備えたＬＣＤ（液晶表示素子）による高精細の大型表示画面９２１が配置され、背面からみて右側の側面には着脱式の付属部を機械的かつ電気的に装着するためのコネクタ９１５が備えられる。
【００６８】
図４０は、ワイド系の撮影レンズ６１０と中程度の画素数を持った撮像素子とを備えた着脱式外部カメラ装置６００を小型の表示画面を備えた電子カメラ本体８００に装着した場合（コネクタ６１４とコネクタ８１４を結合）の正面視の状態を示す図である。図４０に示すように、電子カメラ本体８００の前面に着脱式外部カメラ装置６００が装着される。このような構成の電子カメラでは電子カメラをコンパクトに構成でき、スナップ撮影等の用途に最適なシステムとなる。図４１は、テレ系の撮影レンズ７１０と画素数の多い撮像素子とを備えた着脱式外部カメラ装置７００を大型の表示画面を備えた電子カメラ本体８００に装着した場合（コネクタ７１５とコネクタ９１７を結合）の正面視の状態を示す図である。図４１に示すように、電子カメラ本体９００の上部に着脱式外部カメラ装置７００が装着される。このような構成の電子カメラでは画像を大型の表示画面で確認して、高品質な画像データを記録できるため、ポートレート撮影等の用途に最適なシステムとなる。
【００６９】
図４２は着脱式外部カメラ装置６００と電子カメラ本体８００を分離して使用する場合の状態を示す図である。着脱式外部カメラ装置６００と電子カメラ本体８００との間の制御や画像データの伝送は、着脱式外部カメラ装置６００と電子カメラ本体８００に内蔵された無線通信回路によって行われる。このような構成の電子カメラでは、ユーザは着脱式外部カメラ装置６００から離れた場所で、電子カメラ本体８００を使用してリモートコントロール撮影を行うことができるので、動物撮影等の用途に最適なシステムとなる。
【００７０】
図４３は、着脱式外部カメラ装置６００の内部の電気構成例を示すブロック図である。なお基本的には着脱式外部カメラ装置７００の内部の電気構成もほぼ同じ構成となる。各構成要素は各種情報データおよび制御データの伝送と電力の伝送を担うデータ／制御バス＆電源ライン６５１を介して互いに接続されている。データ／制御バス＆電源ライン６５１はコネクタ６１４、コネクタ６１５を経由して電子カメラ本体のデータ／制御バス＆電源ラインに繋がる。着脱式外部カメラ装置６００は、画像データの撮影動作を実行する撮影制御回路６６０を中心とするブロック、各制御回路に対する統括制御を行うＣＰＵ６５０（中央処理ユニット）を中心とするブロック、各ブロックに電力を供給する電源制御回路６４を中心とするブロックなどから構成される。
【００７１】
着脱式外部カメラ装置６００の電源は電池６６３（二次電池）であり、ＣＰＵ６５０は電子カメラ本体に装着された場合は電子カメラ本体の指示に基づき、また電子カメラ本体から分離して使用される場合は電源ボタン６１７の操作に応じて電源制御回路６４を制御する。ＣＰＵ６５０は着脱式外部カメラ装置６００全体の制御を行う手段であって、着脱検知ＳＷ６８０、着脱検知ＳＷ６８１、測光回路６１３などからの入力情報に応じて撮影制御回路６６０、電源制御回路６６４、無線通信回路６７２などへの各種指示を行う。着脱検知ＳＷ６８０、着脱検知ＳＷ６８１はそれぞれコネクタ６１４、コネクタ６１５が電子カメラ本体に対してどの方向で装着されているか検出するスイッチである。測光回路６１３は被写体の輝度を測定し、その測定結果である測光データをＣＰＵ６５０に出力する。ＣＰＵ６５０は測光データに応じて、ＣＣＤ６５５の露光時間、感度をＣＣＤ駆動回路６５６により設定するとともに、該設定データに応じて撮影制御回路６６０を介し絞り６５３の絞り値を絞り制御回路６５４により制御する。
【００７２】
ＣＰＵ６５０は撮影モードでは電子カメラ本体の指示に応じて撮影制御回路６６０を介し撮影動作を制御する。ＣＰＵ６５０は、ＲＯＭ６６７（リードオンリメモリ）に記憶されている制御プログラムに従い各部を制御する。ＥＥＰＲＯＭ６６８（電気的消去書き込み可能ＲＯＭ）は不揮発性のメモリであって、着脱式外部カメラ装置６００の動作に必要な設定情報等を記憶している。ＲＡＭ６７０は揮発性のメモリであって、ＣＰＵ６５０の一時的作業領域として用いられる。またＣＰＵ６５０は装着された電子カメラ本体とデータ／制御バス＆電源ライン６５１およびコネクタ６１４、６１５を介し通信するとともに、電子カメラ本体から分離されて使用される場合は、無線通信回路６７２を介し電子カメラ本体と通信し、撮影に関する情報を得る。
【００７３】
撮影制御回路６６０は、レンズ駆動回路６５２により撮影レンズ６１０のフォーカシング、ズーミングを行い、絞り制御回路６５４により絞り６５３を制御してＣＣＤ６５５の露光量をコントロールし、ＣＣＤ駆動回路６５６によりＣＣＤ６５５の動作を制御する。被写体からの光束は撮影レンズ６１０により光量調節のための絞り６５３を介し、ＣＣＤ６５５上に被写体像として形成され、この被写体像はＣＣＤ６５５により撮像される。複数の画素を備えたＣＣＤ６５５（チャージカップルドデバイス）は被写体像を撮像するための電荷蓄積型イメージセンサーであり、ＣＣＤ６５５上に形成された被写体像の強度に応じた電気的な画像信号をＣＣＤ駆動回路６５６により供給される駆動パルスに応じてアナログ処理部６５７に出力する。アナログ処理部６５７はＣＣＤ６５５が光電変換した画像信号を所定のタイミングでサンプリングし、そのサンプリングした信号を所定のレベルに増幅する。Ａ／Ｄ変換回路６５８（アナログデジタル変換回路）はアナログ処理部６５７でサンプリングした画像信号をデジタル化することによりデジタルデータに変換し、撮影バッファメモリ６５９は該デジタルデータを一旦格納する。
【００７４】
撮影制御回路６０は動作モードが撮影モードに設定されている間は上述の動作を繰り返すとともに、着脱式外部カメラ装置６００が装着された電子カメラ本体側ではデータ／制御バス＆電源ライン６５１または無線通信回路６７２を介して撮影バッファメモリ６５９に順次格納されるデジタルデータを読み出し、該デジタルデータを電子カメラ本体の表示画面に表示させるというスルー画像表示動作を繰り返す。撮影制御回路６６０は撮影バッファメモリ６５９に格納したデジタルデータの高周波成分の度合い解析して撮影レンズ６１０の焦点調節状態を検出し、検出結果に応じてレンズ駆動回路６５２により撮影レンズ６１０の焦点調節を行う。
【００７５】
レリーズ時に撮影制御回路６６０はＣＰＵ６５０経由で電子カメラ本体から撮影指示を受けると、ＣＣＤ駆動回路６５６を介してＣＣＤ６５５により被写体像を撮像させ、撮像により生成した画像信号をアナログ処理部６５７、Ａ／Ｄ変換回路６５８を介して撮影バッファメモリ６５９にデジタルデータ（生データ）として一旦格納する。撮影制御回路６６０は撮影バッファメモリ６５９に一旦格納したデジタルデータを所定の記録フォーマット（ＪＰＥＧなど）に変換または圧縮して画像データを形成する。ＣＰＵ６５０はデータ／制御バス＆電源ライン６５１または無線通信回路６７２を介して撮影バッファメモリ６５９に格された画像データを電子カメラ本体に伝送し、電子カメラ本体は伝送された画像データをメモリカードに保存する。
【００７６】
図４４は、電子カメラ本体８００の内部の電気構成例を示すブロック図である。なお基本的には着脱式外部カメラ装置９００の内部の電気構成もほぼ同じ構成となる。各構成要素は各種情報データおよび制御データの伝送と電力の伝送を担うデータ／制御バス＆電源ライン８５１を介して互いに接続されている。データ／制御バス＆電源ライン８５１はコネクタ８１４、コネクタ８１５、コネクタ８１７を経由して着脱式付属部のデータ／制御バス＆電源ラインに繋がる。電子カメラ本体１００は、画像データの表示を実行する画面制御回路８９２を中心とするブロック、画像データを記憶・保存するメモリカード８７７のブロック、操作キー８６５等のユーザーインターフェースと各制御回路に対する統括制御を行うＣＰＵ８５０（中央処理ユニット）を中心とするブロック、各ブロックに電力を供給する電源制御回路８６４を中心とするブロックなどから構成される。
【００７７】
電子カメラ本体８００の電源は電池８６３（一次電池）であり、ＣＰＵ８５０はダイヤル８１８の操作状態に応じて電源制御回路８６４を制御する。ＣＰＵ８５０は電子カメラ全体の制御を行う手段であって、操作キー８６５、タイマ８７４、着脱検知ＳＷ８８０、着脱検知ＳＷ８８１、着脱検知ＳＷ８８２などからの入力情報に応じて画面制御回路８９２、電源制御回路８６４、装着された着脱式付属部などへの各種指示を行う。着脱検知ＳＷ８８０、着脱検知ＳＷ８８１、着脱検知ＳＷ８８２はそれぞれコネクタ８１４、コネクタ８１５、コネクタ８１７に着脱式付属部がどの方向で装着されているか検出するスイッチである。
【００７８】
ＣＰＵ８５０は撮影モードではレリーズボタン８１６の操作に応じて着脱式外部カメラ装置を制御する。タイマ８７４は時計回路を内蔵し、計時情報をＣＰＵ８５０に供給する。ＣＰＵ８５０は、ＲＯＭ８６７（リードオンリメモリ）に記憶されている制御プログラムに従い各部を制御する。ＥＥＰＲＯＭ８６８（電気的消去書き込み可能ＲＯＭ）は不揮発性のメモリであって、電子カメラ本体８００の動作に必要な設定情報等を記憶している。ＲＡＭ８７０は揮発性のメモリであって、ＣＰＵ８５０の一時的作業領域として用いられる。またＣＰＵ８５０は装着された着脱式外部カメラ装置とデータ／制御バス＆電源ライン８５１およびコネクタ１４、１５を介し通信するとともに、着脱式外部カメラ装置を分離して使用する場合は、無線通信回路８７２を介し着脱式外部カメラ装置と通信し、各種制御情報や画像データの伝送を行う。
【００７９】
画面制御回路８９２は撮影モードにおいては着脱式外部カメラ装置の撮像素子により連続的に生成されたデジタルデータをデータ／制御バス＆電源ライン８５１または無線通信回路８７２経由でフレームメモリ８６９に読出し、該デジタルデータを表示用画像データに変換してフレームメモリ８６９に再格納し、該表示用画像データを表示画面８２１に表示させるというスルー画像表示動作を繰り返す。また画面制御回路８９２は再生モードにおいてはメモリカード８７７に格納されている画像データをフレームメモリ８６９に読出し、該画像データを表示用画像データに変換してフレームメモリ８６９に再格納し、該表示用画像データを表示画面８２１に表示させるという画像再生表示動作を行う。
【００８０】
レリーズ時にＣＰＵ８５０は着脱式外部カメラ装置に撮影指示を伝送するとともに、着脱式外部カメラ装置が検出した輝度が所定値以下の場合は着脱式外部カメラ装置の撮影に同期してストロボ駆動回路８７３によりストロボ８１２を発光させ、その後着脱式外部カメラ装置から撮影された画像データを読出し、メモリカード８７７に保存する。
【００８１】
図４５は第２の実施形態における着脱式外部カメラ装置６００（ＣＰＵ６５０）の動作のメインフローチャートであり、Ｓ８０で電子カメラ本体への装着または装着された電子カメラ本体の電源ＯＮまたは電源ボタン６１７の操作によりスタートすると、Ｓ８０１で電子カメラ本体に装着されているかチェックする。電子カメラ本体に装着されている場合は、Ｓ８０２で電子カメラ本体の電源がＯＦＦであるかチェックし、電源ＯＦＦである場合はＳ８０３で着脱式外部カメラ装置６００の電源をＯＦＦし、電源ＯＦＦでない場合はＳ８０４で着脱式外部カメラ装置６００の電源をＯＮする。なお電子カメラ本体に装着されてから着脱式外部カメラ装置６００の電源がＯＮするまでは、電子カメラ本体から電力が供給される。Ｓ８０５で電子カメラ本体の指示にしたがって、スルー画像データまたは撮影画像データを生成し、該画像データをデータ／制御バス＆電源ライン６５１とコネクタ６１４、６１５を経由して装着している電子カメラ本体に伝送し、Ｓ８０１に戻る。一方Ｓ８０１で電子カメラ本体と装着されていない場合は、Ｓ８０６で着脱式外部カメラ装置６００の電源ボタン操作により電源ＯＦＦが指示されたかチェックし、肯定された場合はＳ８０７で電源をＯＦＦし、否定された場合はＳ８０８で電子カメラ本体の指示にしたがって、スルー画像データまたは撮影画像データを生成し、該画像データを無線通信回路６７２経由で電子カメラ本体に伝送し、Ｓ８０１に戻る。なお電源ボタン６１７の操作による電源ＯＮ／ＯＦＦは電子カメラ本体から分離している状態でのみ可能である。また着脱式外部カメラ装置７００の動作も図４５の動作と同様である。なお電子カメラ本体と着脱式外部カメラ装置を分離して使用する場合に、電子カメラ本体と着脱式外部カメラ装置の組み合わせの個別識別（どのカメラ本体とどの着脱式外部カメラ装置が組み合わされているかという識別）は、分離使用する直前に分離使用する電子カメラ本体と着脱式外部カメラ装置を装着し、装着した状態でお互いの個別識別情報を交換することによって達成される。
【００８２】
図４６は第２の実施形態における電子カメラ本体８００（ＣＰＵ８５０）の動作のメインフローチャートであり、Ｓ９０でダイヤル８１８の操作による電源ＯＮでスタートすると、Ｓ９１でダイヤル８１８が撮影モードに設定されているかチェックし、撮影モードに設定されている場合はＳ９２の撮影モードのサブルーチンを実行し、Ｓ９１に戻る。撮影モードに設定されていない場合はＳ９３でダイヤル８１８が再生モードに設定されているかチェックし、再生モードに設定されている場合はＳ９４の再生モードサブルーチンを実行し、Ｓ９１に戻る。再生モードに設定されていない場合即ち電源ＯＦＦに設定された場合はＳ９５で電源をＯＦＦする。
【００８３】
図４７は第２の実施形態における電子カメラ本体８００の撮影モードサブルーチンの詳細フローチャートであって、Ｓ９２で起動すると、Ｓ９２１で着脱式外部カメラ装置の装着の有無、装着された着脱式外部カメラ装置の機能・特性に応じてシーンモードが設定される。Ｓ９２１ではまず着脱式外部カメラ装置との通信や着脱検知ＳＷ８８０、８８１、８８２からのデータに基づき、撮影レンズの焦点距離、撮影レンズの開放絞り値／最小絞り値、撮像素子の画素数、撮像素子の感度、撮像素子の応答速度、撮像素子がカラーか白黒か、着脱式外部カメラ装置が装着されているか分離されているか、着脱式外部カメラ装置の装着方向、着脱式外部カメラ装置の装着箇所、着脱式外部カメラ装置の電源の有無、着脱式外部カメラ装置の電源状況（残電力容量）、着脱式外部カメラ装置の消費電力等の情報を得る。次に得られた情報に基づき、例えば撮影レンズの焦点距離が所定値以下のワイド系である場合は、スナップ撮影に適するようシーンモードをスナップ撮影モードとする。また例えば撮影レンズの開放絞り値（Ｆ値）が所定値以下の場合は、ボケを生かした撮影を行うことを想定してシーンモードをポートレートモードとする。また例えば撮像素子の画素数が所定値以上である場合には、高品質な画像データを記録することを想定してシーンモードを風景モードまたはポートレートモードとする。また例えば撮像素子の感度が所定値以上である場合には、高感度撮影を行うことを想定してシーンモードを夜景モードとする。また例えば撮像素子の応答速度（１画面の画像データを生成する周期）が所定値より高速な場合は、動きのある被写体を撮影することを想定してシーンモードをスポーツモードとする。また例えば撮像素子が白黒の撮像素子である場合は、芸術性の高い撮影を行うことを想定して、シーンモードをポートレートモードとする。また例えば着脱式外部カメラ装置が装着されている場合には、機動性のある撮影を行うことを想定して、シーンモードをスナップモードとする。また例えば着脱式外部カメラ装置が分離して使用されている場合には、セルフタイマ撮影を行うことを想定して、シーンモードをセルフタイマモードとする。また例えば着脱式外部カメラ装置が電子カメラ本体８００の正面に装着されている場合には、機動性のある撮影を行うことを想定して、シーンモードをスナップモードとする。また例えば着脱式外部カメラ装置が電子カメラ本体８００の上部または側面に表示画面と同じ方向に撮影レンズを向けて装着されている場合には、セルフタイマ撮影を行うことを想定して、シーンモードをセルフタイマモードとする。また例えば電源を内蔵しない着脱式外部カメラ装置が装着されていた場合には、電源を内蔵しないことにより達成される電子カメラのコンパクト性を考慮して、シーンモードをスナップモードとする。また例えば消費電力の小さな着脱式外部カメラ装置が装着されていた場合には、長時間に渡ってじっくり撮影することを想定して、シーンモードを風景モードまたはポートレートモードとする。また例えば装着された着脱式外部カメラ装置側の電源の残電力容量が少なくなってきた場合には、電力を節約するためにシーンモードをパンフォーカスモードとする。
【００８４】
Ｓ９２２では着脱式外部カメラ装置の装着の有無、装着された着脱式外部カメラ装置の機能・特性に応じて記録モードが設定される。Ｓ９２２ではまず着脱式外部カメラ装置との通信や着脱検知ＳＷ８８０、８８１、８８２からのデータに基づき、撮影レンズの焦点距離、撮影レンズの開放絞り値／最小絞り値、撮像素子の画素数、撮像素子の感度、撮像素子の応答速度、撮像素子がカラーか白黒か、着脱式外部カメラ装置が装着されているか分離されているか、着脱式外部カメラ装置の装着方向、着脱式外部カメラ装置の装着箇所、着脱式外部カメラ装置の電源の有無、着脱式外部カメラ装置の電源状況（残電力容量）、着脱式外部カメラ装置の消費電力等の情報を得る。次に得られた情報に基づき、例えば撮影レンズの焦点距離が所定値以下のワイド系である場合は、種々の被写体が１画面に写り込むことを想定して、記録モードを高品質モードとする。また例えば撮影レンズの開放絞り値（Ｆ値）が所定値以下の場合は、ボケを生かした撮影を行うことを想定して記録モードを高品質モードとする。また例えば撮像素子の画素数が所定値以上である場合には、高品質な画像データを記録することを想定して記録モードを高品質モードとする。また例えば撮像素子の感度が所定値以上である場合には、高感度撮影を行うことにより画質が低下することを想定して記録モードをベーシックモードとする。また例えば撮像素子の応答速度（１画面の画像データを生成する周期）が所定値より高速な場合は、動きのある被写体を多量に撮影することを想定して記録モードをベーシックモードとする。また例えば撮像素子が白黒の撮像素子である場合は、芸術性の高い撮影を行うことを想定して、記録モードを高品質モードとする。また例えば着脱式外部カメラ装置が装着されている場合には、機動性のある撮影を行うことを想定して、記録モードをベーシックモードとする。また例えば着脱式外部カメラ装置が分離して使用されている場合には、セルフタイマ撮影を行うことを想定して、記録モードを高品質モードとする。また例えば着脱式外部カメラ装置が電子カメラ本体８００の正面に装着されている場合には、機動性のある撮影を行うことを想定して、記録モードをベーシックモードとする。また例えば着脱式外部カメラ装置が電子カメラ本体８００の上部または側面に表示画面と同じ方向に撮影レンズを向けて装着されている場合には、セルフタイマ撮影を行うことを想定して、記録モードを高品質モードとする。また例えば電源を内蔵しない着脱式外部カメラ装置が装着されていた場合には、電源を内蔵しないことによる達成される電子カメラのコンパクト性を考慮して、記録モードをベーシックモードとする。また例えば消費電力の小さな着脱式外部カメラ装置が装着されていた場合には、長時間に渡ってじっくり撮影することを想定して、記録モードを高品質モードとする。また例えば電子カメラ本体８００の電源の残電力容量が少なくなってきた場合には、電力を節約するために記録モードをベーシックモードとする。
【００８５】
Ｓ９２３では着脱式外部カメラ装置が装着されているかチェックし、肯定された場合はＳ９２４で装着された着脱式外部カメラ装置から画像データをコネクタ８１４、８１５、８１７経由で受信し、Ｓ９２６に進む。一方Ｓ９２３で否定された場合はＳ９２５で着脱式外部カメラ装置から画像データを無線通信回路８７２経由で受信し、Ｓ９２６に進む。Ｓ９２６では、受信した画像データの画素数や色特性を表示画面８２１に表示画素数や表示特性に合わせて表示画像データに変換し、着脱式外部カメラ装置の特性に応じてスルー画像として表示画面８２１に表示する。Ｓ９２６ではまず着脱式外部カメラ装置との通信や着脱検知ＳＷ８８０、８８１、８８２からのデータに基づき、撮影レンズの焦点距離、撮影レンズの開放絞り値／最小絞り値、撮像素子の画素数、撮像素子の感度、撮像素子の応答速度、撮像素子がカラーか白黒か、着脱式外部カメラ装置が装着されているか分離されているか、着脱式外部カメラ装置の装着方向、着脱式外部カメラ装置の装着箇所、着脱式外部カメラ装置の電源の有無、着脱式外部カメラ装置の電源状況（残電力容量）、着脱式外部カメラ装置の消費電力等の情報を得る。次に得られた情報に基づき、例えば撮影レンズの焦点距離が所定値以下のワイド系である場合は、種々の被写体が１画面に写り込んで画面が見づらくなることを想定して、スルー画像データに輪郭強調や彩度強調などの画像処理を施して表示する。また例えば撮影レンズの開放絞り値（Ｆ値）が所定値以下の場合は、暗い場所での撮影を行っていることを想定し、表示輝度や表示コントラストを上げて表示する。また例えば撮像素子の画素数が所定値以上である場合には、高品質な画像データを撮影することを想定して、スルー画像データに高度な画像処理（ノイズ除去処理、補間処理）を施して表示する。また例えば撮像素子の感度が所定値以上である場合には、高感度撮影を行うことにより画質が低下することを想定して、表示輝度や表示コントラストを上げて表示する。また例えば撮像素子の応答速度（１画面の画像データを生成する周期）が所定値より高速な場合は、動きのある被写体を連続撮影または動画撮影することを想定して、応答性重視の表示（精細度を多少低下しても高速に画面が切換えられる）を行う。また例えば撮像素子が白黒の撮像素子である場合は、芸術性の高い撮影を行うことを想定して、スルー画像データに高度な画像処理（ノイズ除去処理、補間処理）を施して表示する。また例えば着脱式外部カメラ装置が装着されている場合には、機動性のある撮影を行うことを想定して、応答性重視の表示を行う。また例えば着脱式外部カメラ装置が分離して使用されている場合には、リモコン撮影を行うことを想定して、スルー画像データに輪郭強調や彩度強調などの画像処理を施して表示する。また例えば着脱式外部カメラ装置が電子カメラ本体８００の正面に装着されている場合には、機動性のある撮影を行うことを想定して、応答性重視の表示を行う。また例えば着脱式外部カメラ装置が電子カメラ本体８００の上部または側面に表示画面と同じ方向に撮影レンズを向けて装着されている場合には、セルフタイマ撮影を行うことを想定して、スルー画像データに高度な画像処理（ノイズ除去処理、補間処理）を施して表示する。また例えば電源を内蔵しない着脱式外部カメラ装置が装着されていた場合には、電源を内蔵しないことにより達成される電子カメラのコンパクト性を考慮して、応答性重視の表示を行う。また例えば消費電力の小さな着脱式外部カメラ装置が装着されていた場合には、長時間に渡ってじっくり撮影することを想定して、高度な画像処理（ノイズ除去処理、補間処理）を施して表示する。また例えば電子カメラ本体８００の電源の残電力容量が少なくなってきた場合には、電力を節約するために省電力な表示（表示輝度の低下、表示画素数の間引きなど）を行う。
【００８６】
Ｓ９２７ではメモリカード８７７が装着されかつレリーズボタン８１６が操作されたかチェックし、否定された場合はそのままＳ９３２でリターンし、肯定された場合はＳ９２８で着脱式外部カメラ装置が装着されているかチェックする。肯定された場合はＳ９２９で装着された着脱式外部カメラ装置にコネクタ８１４、８１５、８１７経由で撮影指示を出して撮影を実行（低輝度な場合はストロボ８１２を発光）させ、撮影した画像データをコネクタ８１４、８１５、８１７経由で受信しＳ９３１に進む。一方Ｓ９２８で否定された場合はＳ９３０で着脱式外部カメラ装置に無線通信回路８７２経由で撮影指示を出して撮影を実行（低輝度な場合はストロボ８１２を発光）させ、着脱式外部カメラ装置から画像データを無線通信回路８７２経由で受信し、Ｓ９３１に進む。Ｓ９３１では、受信した画像データの画素数や色特性を表示画面８２１に表示画素数や表示特性に合わせて表示画像データに変換し、該画像データに撮影日時データを付加してＳ９２２で設定された記録モードでメモリカード８７７に記録し、Ｓ９３２でリターンする。
【００８７】
図４８は第２の実施形態における電子カメラ本体８００の再生モードサブルーチンの詳細フローチャートであって、Ｓ９４で起動すると、Ｓ９４１でメモリカード８７７が装着されているかチェックし、装着されていない場合は画像再生ができないのでＳ９４７でリターンする。装着されている場合は、Ｓ９４２で現在再生モードにおける画像データの再生中であるかチェックし、画像データの再生中でない場合は、Ｓ９４３で初期状態としてメモリカード８７７に格納されている最新の画像データ（撮影日時データが最も新しい画像データ）を再生画像データとして指定しＳ９４６に進む。画像データの再生中である場合は、Ｓ９４４で左ボタン８２５または右ボタン８２６が操作されたかチェックし、操作されていない場合は再生している画像データを変更する必要がないのでＳ９４７でリターンする。操作された場合は、Ｓ９４５で操作されたボタンに応じて再生画像データを指定しＳ９４６に進む。即ち左ボタン８２５が操作された場合は、現在再生中の画像データより撮影日時データの順番が一つ古い画像データが再生画像データとして指定され、右ボタン８２６が操作された場合は、現在再生中の画像データより撮影日時データの順番が一つ新しい画像データが再生画像データとして指定される。Ｓ９４６で指定された画像を再生表示させ、Ｓ９４７でリターンする。
【００８８】
以上電子カメラ本体８００の動作について説明したが、電子カメラ本体９００の動作も図４６、図４７、図４８で説明した電子カメラ本体８００の動作と同様である。
【００８９】
上記第１の実施形態においては、カメラ性能（筐体のサイズ、撮像素子の特性、撮影光学系の特性等）が異なる複数機種の電子カメラ本体と、表示性能（表示画素数、表示画面サイズ、表示方式等）が異なる複数機種の着脱式外部表示装置とから電子カメラシステムを構成し、撮影状況や撮影目的に応じて電子カメラ本体と着脱式表示装置を組み合わせて使用するようにしたため、撮影状況や撮影目的毎に表示装置を組み込んだ電子カメラを用意する場合に比較して機種数を少なくでき、電子カメラのメーカーにとっては製造上や販売上のメリットがあるとともに、ユーザにとっては少ない手持ちの機種で多く撮影状況や撮影目的に応じた電子カメラを構成することができるというメリットがある。また上記第２の実施形態においては、カメラ性能（筐体のサイズ、撮像素子の特性、撮影光学系の特性等）が異なる複数機種の着脱式外部カメラ装置と、表示性能（表示画素数、表示画面サイズ、表示方式等）が異なる複数機種の電子カメラ本体とから電子カメラシステムを構成し、撮影状況や撮影目的に応じて電子カメラ本体と着脱式外部カメラ装置を組み合わせて使用するようにしたため、撮影状況や撮影目的毎に表示装置を組み込んだ電子カメラを用意する場合に比較して機種数を少なくでき、電子カメラのメーカーにとっては製造上や販売上のメリットがあるとともに、ユーザにとっては少ない手持ちの機種で多く撮影状況や撮影目的に応じた電子カメラを構成することができるというメリットがある。また電子カメラ本体と着脱式付属装置間の通信プロトコルや通信データ構造を統一しておくことにより、既に市場に出回った電子カメラ本体や着脱式付属装置に対し、最新の電子カメラ本体や着脱式付属装置を組み合わせて使用することもできる。
【００９０】
上記第２の実施形態においては、電子カメラ本体と着脱式外部カメラ装置が無線通信回路を備えており、電子カメラ本体に着脱式外部カメラ装置を装着した状態だけではなく、電子カメラ本体と着脱式外部カメラ装置を分離した状態においても撮影が可能となるので、更に電子カメラの撮影用途を広げることができる。また第１の実施形態においても電子カメラ本体と着脱式外部表示装置に無線通信回路を備え、電子カメラ本体に着脱式外部表示装置を装着した状態だけではなく、電子カメラ本体と着脱式外部表示装置を分離した状態においても撮影および再生が可能になるようにしてもよい。この場合着脱式外部表示装置側にも撮影用の操作部材（タッチパネルによりレリーズ操作、ズーム操作などを行う）を設け、電子カメラ本体に着脱式外部表示装置を装着した状態では電子カメラ本体の操作部材により撮影を行い、電子カメラ本体と着脱式外部表示装置とを分離した状態では着脱式外部表示装置の操作部材により撮影を行うようにする。電子カメラ本体に着脱式外部表示装置を装着して使用する場合と、電子カメラ本体と着脱式外部表示装置とを分離して使用する場合では着脱式外部表示装置の表示画面での画像の表示形態を変更する。例えば装着状態では被写体を目視できるので通常通りにスルー画像を表示するとともに、分離状態では表示画面でしか構図が確認できないので、コントラスト強調、輪郭強調、彩度強調などの画像処理を施してスルー画像を表示する。また分離状態では電子カメラ本体からの電源供給が期待できないので、着脱式外部表示装置は省エネモードとなる。例えば着脱式外部表示装置が発光型表示画面を備えている場合には、発光輝度を下げたり表示ＯＦＦタイマ時間を短縮する。
【００９１】
上記第１の実施形態においては、電子カメラ本体が装着された着脱式外部表示装置の特性・能力（電源の有無、消費電力など）に応じて表示ＯＦＦタイマの設定時間を調整するようにしたため、ユーザは着脱式外部表示装置に応じて手動で表示ＯＦＦタイマの設定時間を調整する手間が省け快適に撮影・再生を行うことができるとともに、電力を有効に使用することができる。第２の実施形態においても電子カメラ本体が着脱式外部カメラ装置の特性・能力や電子カメラ本体と着脱式外部カメラ装置が装着された使用しているか分離されて使用されているかに応じて表示ＯＦＦタイマの設定時間を調整するようにしてもよい。また表示ＯＦＦタイマの設定時間のみならず、電源ＯＦＦタイマ（所定時間ユーザによる電子カメラの操作がない場合には自動的に電子カメラの電源をＯＦＦする機能）の設定時間を着脱式外部表示装置または着脱式外部カメラ装置の特性・能力に応じて調整してもよい。
【００９２】
上記第１の実施形態においては、カメラ性能が異なる複数機種の電子カメラ本体と、表示性能が異なる複数機種の着脱式外部表示装置とを撮影状況や撮影目的に応じて組み合わせて使用するとともに、電子カメラ本体は組み合わされた着脱式外部表示装置の性能に応じてシーンモード、記録モード、表示モード（スルー画像や再生画像の表示方法）を変更することにより、撮影状況や撮影目的にかなった撮影・記録・表示が自動的に行われるにようにしたため、ユーザは電子カメラ本体と着脱式外部表示装置との組み合わせに応じて手動でシーンモード、記録モード、表示モードの変更を行う手間を省くことができる。上記第２の実施形態においては、カメラ性能が異なる複数機種の着脱式外部カメラ装置と、表示性能が異なる複数機種の電子カメラ本体とを撮影状況や撮影目的に応じて組み合わせて使用するとともに、電子カメラ本体は組み合わされた着脱式外部カメラ装置の性能に応じてシーンモード、記録モード、表示モードを変更することにより、撮影状況や撮影目的にかなった撮影・記録・表示が自動的に行われるようにしたため、ユーザは電子カメラ本体と着脱式外部カメラ装置との組み合わせに応じて手動でシーンモード、記録モード、表示モードの変更を行う手間を省くことができる。
【００９３】
上記第１の実施形態においては、着脱式外部表示装置は電池とメモリカードスロットを備えているため、ユーザは電子カメラ本体で撮影した画像情報をメモリカードに格納するとともに、該メモリカードを着脱式外部表示装置に装着することで、着脱式外部表示装置単独で画像を再生・閲覧することができる。また上記第２の実施形態においては、電子カメラ本体は電池とメモリカードスロットを備えているため、ユーザは着脱式外部カメラ装置を装着しないコンパクトな状態で画像を再生・閲覧することができる。
【００９４】
上記第１の実施形態においては、着脱式外部表示装置は電池を内蔵しているため、ユーザは着脱式外部表示装置を装着して表示を行う場合でも、電子カメラ本体側の電池の消費に気を使う必要がない。
【００９５】
上記第１の実施形態においては、電子カメラ本体は筐体の複数の位置に着脱式外部表示装置を装着するためのコネクタを備えるために、ユーザは必要に応じて電子カメラ本体の所望の位置に着脱式外部表示装置を装着することにより、撮影状況や撮影目的に適した電子カメラを構成することができる。なお着脱式外部表示装置の複数の位置にコネクタを設け、状況に応じて電子カメラ本体に装着するコネクタを変更することでさらに撮影をやりやすくすることができる。例えば図５に示す着脱式外部表示装置２００の上部にもコネクタを配置するとともに、側面のコネクタを使用する場合は横長画面で画像を表示でき、上面のコネクタを使用する場合は縦長画面で画像を表示することができる。第２の実施形態においては、電子カメラ本体は筐体の複数の位置に着脱式外部カメラ装置を装着するためのコネクタを備えるとともに、着脱式外部カメラ装置も筐体の複数の位置に電子カメラ本体を装着するためのコネクタを備えるために、ユーザは必要に応じて所望の位置のコネクタ同士で互いに装着することにより、撮影状況や撮影目的に適した電子カメラを構成することができる。
【００９６】
上記第１の実施形態においては、電子カメラ本体は筐体の複数の位置に着脱式外部表示装置を装着するためのコネクタを備えるとともに、着脱式外部表示装置も筐体の複数の位置に電子カメラ本体を装着するためのコネクタを備えるために、ユーザは必要に応じて所望の位置のコネクタ同士で互いに装着することにより、撮影状況や撮影目的に適した電子カメラを構成することができる。また第２の実施形態においては、電子カメラ本体は筐体の複数の位置に着脱式外部カメラ装置を装着するためのコネクタを備えるとともに、着脱式外部カメラ装置も筐体の複数の位置に電子カメラ本体を装着するためのコネクタを備えるために、ユーザは必要に応じて所望の位置のコネクタ同士で互いに装着することにより、撮影状況や撮影目的に適した電子カメラを構成することができる。
【００９７】
上記第１の実施形態においては、着脱式外部表示装置が両面に表示画面を備えているので、スルー画像を撮影者と被写体側で同時に確認することができ、ポートレート撮影に適している。さらに表示画面の表示方式を表面と裏面で異ならせているので、撮影状況や再生状況に応じて適した表示方式の表示画面でスルー画像や再生画像を観察することができる。
【００９８】
上記第１の実施形態においては、着脱式外部表示装置の表面に表示画面を配置し、裏面に操作キーを配置しているので、表示画面を大きく取れるとともに、着脱式外部表示装置をコンパクトに構成することができる。裏面に操作キーを配置する代わりに、表示画面に重畳して透明タッチパネルを設けるようにすれば、操作をより行い易くすることができる。
【００９９】
上記第１の実施形態においては、電子カメラ本体に着脱式外部表示装置を収納するための収納部を備えたため、撮影状況の変化や撮影目的の変更に応じて、撮影状況や撮影目的にかなった着脱式外部表示装置を迅速に電子カメラ本体に装着することができるとともに、着脱式外部表示装置の携帯が容易である。
【０１００】
上記第２の実施形態においては、電子カメラ本体から着脱式外部カメラ装置を分離して撮影できるとともに、表示画面を備えた電子カメラ本体に被写体を撮影時に照明する照明手段（ストロボ）を設けたので、撮影構図を確認しつつ任意の方向から被写体を照明することが可能になり、一般的な撮影光軸方向から照明した画像とは趣を変えた画像を簡易な構成で撮影することができる。
【０１０１】
上記第１の実施形態においては、電子カメラ本体の複数のコネクタに同時に複数の着脱式外部表示装置を装着して使用することができるので、撮影状況の変化に応じて複数の着脱式外部表示装置を交換して使用するという手間が省ける。またコネクタが電子カメラ本体の複数箇所に配置されているため、ユーザは自分の好みの位置に着脱式外部表示装置を装着して使用することができる。また第２の実施形態においても、電子カメラ本体の複数のコネクタに同時に複数の着脱式外部カメラ装置を装着して使用することもできる。このようにすれば撮影状況の変化に応じて複数の着脱式外部カメラ装置を交換して使用するという手間が省ける。
【０１０２】
上記第１の実施形態においては、電子カメラ本体に設けられた着脱式外部表示装置装着用のコネクタに着脱式電源、着脱式ストロボを装着できるようにしたため、電源やストロボを装着するための専用のコネクタを設ける必要がなく、電子カメラ本体のシンプルかつ小型に構成することができる。さらにこのコネクタを用いて電源とストロボ以外に、種々のカメラアクセサリー（画像データ記録用の大容量ストレージ、高度な画像処理を行う画像処理ユニット、画像データを無線転送するための無線ユニット）を電子カメラ本体に装着することもできる。
（変形形態の説明）本発明は以上説明した実施形態に限定されることなく、種々の変形や変更が可能である。
【０１０３】
上記第１の実施形態および第２の実施形態においては、画像を生成する撮像素子を含むユニットと、撮像素子で生成された画像データを表示する表示素子を含むユニットを着脱可能に構成しているが、更に撮像素子で生成された画像データを記録する記録手段を含むユニットを分離して着脱可能にするシステムとしてもよい。このようにすれば、撮像ユニット、表示ユニット、記録ユニットを組み合わせることにより撮影状況に最適な電子カメラを構成することが容易になる。
【０１０４】
上記第１の実施形態および第２の実施形態においては、電子カメラ本体は電源を備え、着脱式付属装置側は電源を備えるものと備えないものがあり、電源を備えない着脱式付属装置が電子カメラ本体に装着された場合には、電子カメラ本体から着脱式付属装置に電力が供給され、電源を備えた着脱式付属装置が電子カメラ本体に装着された場合には、電子カメラ本体から着脱式付属装置に電力が供給されていないが、電源を備えた着脱式付属装置が電子カメラ本体に装着された場合には、残電力容量の少ない側に残電力容量の大きい側から電力供給を行うようにしてもよい。このようにすれば電子カメラ全体として、電力を有効に利用することができる。また着脱式付属装置側が２次電池を備える場合は、装着時に電子カメラ本体から該２次電池を充電するようにしてもよい。また着脱式付属装置側が２次電池を備える場合は、装着時には電子カメラ本体からの電力供給により着脱式付属装置が動作し、分離時には２次電池により着脱式付属装置が動作するようにしてもよい。またその逆に着脱式付属装置側が２次電池を備える場合は、装着時には着脱式付属装置側からの電力供給により電子カメラ本体が動作し、分離時には内蔵電池により電子カメラ本体が動作するようにしてもよい。
【０１０５】
また電源電圧低下時に電子カメラの動作を停止させるための電圧閾値を、着脱式付属装置の装着の有無、着脱式付属装置側の電源の有無、着脱式付属装置側の電源の残電力容量に応じて異ならせても良い。このようにすれば電子カメラ全体として、電力を有効に利用して電子カメラを動作させることができる。また電子カメラ本体の電源の残電力容量状態と着脱式付属装置側の電源残電力容量状態とを装着時または分離時には電子カメラ本体または着脱式付属装置側で一括して警告表示するようにしてもよい。このようにすればユーザは電子カメラ本体の電源の残電力容量状態と着脱式付属装置側の電源残電力容量状態と同時に手間なく確認することができる。
【０１０６】
上記第１の実施形態および第２の実施形態においては、電子カメラ本体に着脱式外部表示装置または着脱式外部カメラ装置を装着した際に、電子カメラ本体と着脱式外部表示装置または着脱式外部カメラ装置の相対的位置関係は固定されているが、コネクタの機構を工夫し、電子カメラ本体と着脱式外部表示装置または着脱式外部カメラ装置の相対的位置関係をフレキシブルにすることにより、ユーザの使い勝手を向上させることができる。例えばコネクタの機構を回転機構（スイバル機構）とすることにより、電子カメラ本体に対し着脱式外部表示装置または着脱式外部カメラ装置を所定の回転軸の周りに回転させて使用することができる。またコネクタの機構をヒンジ機構とすることにより、電子カメラ本体に対し着脱式外部表示装置または着脱式外部カメラ装置を所定の回転軸の周りに回転させて使用することができる。また更にコネクタの機構をユニバーサルジョイントのような構成にすれば、撮影方向に関わらず自分に見やすい方向で画像を確認することができる。
【０１０７】
上記第１の実施形態および第２の実施形態においては、電子カメラ本体に着脱式付属部を機械的かつ電気的に装着するためのコネクタにより電子カメラ本体と着脱式外部表示装置または着脱式外部カメラ装置とを結合し、コネクタを経由で電子カメラ本体と着脱式外部表示装置または着脱式外部カメラ装置との間の情報の伝送が行われているが、電子カメラ本体と着脱式外部表示装置または着脱式外部カメラ装置の双方に情報を無線で伝送できる無線通信回路を備え、装着状態においても該無線通信回路で情報を伝送するようにしても構わない。このようにすれば、コネクタは電子カメラ本体と着脱式外部表示装置または着脱式外部カメラ装置とを単に機械的に結合する機能のみで足りるので、コネクタの機構を簡略化できるとともに、コネクタまでの電気的配線を省くことができるので電気実装上非常に有利である。
【０１０８】
上記第１の実施形態および第２の実施形態においては、電子カメラ本体あるいは着脱式外部表示装置に搭載される表示素子としてＥＬ表示素子、ＬＣＤ、電子ペーパーを挙げているが、これ以外の表示素子であっても構わない。ＬＣＤを反射型ＬＣＤ（バックライトなし）、半透過型ＬＣＤ（バックライトあり）としてもよい。また例えば個人使用時のプライバシー性を考慮して狭視野ＬＣＤ（視野角が比較的狭い）、複数ユーザの同時閲覧を考慮して広視野ＬＣＤ（視野角が比較的広い）を使うこともできる。
【０１０９】
上記第１の実施形態および第２の実施形態において、電子カメラ本体、着脱式外部表示装置、着脱式外部カメラのコネクタに種々の付属装置を装着することができる。例えば外部通信装置（無線携帯電話等）、電源を強化するための補助電源装置、撮影した画像を保存するための大記憶容量の補助記憶装置等を装着するようにしても構わない。
【０１１０】
上記第１の実施形態および第２の実施形態においては、着脱式外部表示装置または着脱式外部カメラ装置はコネクタを介し電子カメラに装着可能になっているが、コネクタの機構（機械的構成、電気的構成）を統一することにより、着脱式外部表示装置を電子カメラ以外の電子機器に装着することもできる。例えば無線携帯電話やＰＤＡや携帯型ゲーム機に着脱式外部表示装置または着脱式外部カメラ装置を装着することもできる。このようにすれば、低品質な表示しかできない電子機器でも、必要に応じて高品質な表示を行うことができる。またカメラを備えていない電子機器においても撮影を行うことができる。また電子機器に装着される付属装置（着脱式外部表示装置、着脱式外部カメラ装置、補助電源、補助記憶装置等）を種々の電子機器で共用することができるので、ユーザは低コストで電子機器システムを構築できる。なお電子機器側のＣＰＵは装着された付属装置側のＣＰＵと交信することにより、装着された付属装置の機能や性能を認識し、認識結果に基づいて装着された付属装置に適した動作を行うことができる。
【０１１１】
上記第１の実施形態および第２の実施形態においては、着脱式表示装置または電子カメラ本体の表示素子で静止画像を表示しているが、動画像であっても構わない。また表示される情報は画像に限定されることはなく、テキスト情報や地図情報であっても構わない。またコネクタの構成は独自の仕様であってもいいし、既存のコネクタ仕様（ＵＳＢ、ＩＥＥＥ１３９４など）であってもよい。
【０１１２】
上記第１の実施形態および第２の実施形態においては、電子カメラシステムにおいて画像情報を生成する撮像素子を含む撮像ユニットと、生成された画像情報を表示する表示素子を含む表示ユニットとを着脱可能に構成し、撮影状況や撮影目的に応じて最適な撮像ユニットと表示ユニット組み合わせるとともに、組み合わされたユニット同士がお互いに装着された相手のユニットの特性や機能に応じて自動的に最適な制御を行うことにより、ユーザの利便性を向上させているが、本発明は電子カメラに限定されたものではなく、一般に情報を生成する手段と情報を表示する手段とからなる電子機器に広く適用できるものである。一例として携帯電話においては、情報を受信する受信手段と受信した情報を表示する表示手段を着脱可能に構成し、受信情報の内容に応じて最適な表示画面を備えた表示手段（例えば大型表示画面、高精細表示画面、発光型表示画面、メモリ性表示画面、高応答表示画面など）を装着して情報を閲覧することにより、組み込みの表示画面で受信情報を閲覧する場合に比較して、情報を有効に活用することができる。例えば高精細表示画面が装着されていた場合には表示する画像情報を高品質な画像フォーマット（画素数など）で自動的に受信して表示するようなことが可能になる。またＰＤＡにおいては、情報を処理・格納する本体部と情報を表示する表示部を着脱可能に構成し、表示する情報の内容に応じて表示部（例えば大型表示画面、高精細表示画面、発光型表示画面、メモリ性表示画面、高応答表示画面など）を装着することにより、情報をユーザに確実かつ迅速に伝達することができる。例えば装着された表示部の特性（表示画素数、表示画素ピッチ、色特性、応答速度、温度特性等）に応じて表示する画像を画像処理（輪郭強調、色調整、表示速度等）して表示させることにより、ユーザが見やすい画像を表示することができる。
【０１１３】
【発明の効果】以上説明したように、本発明による電子機器システム、電子カメラシステムおよび前記システムに用いられる電子カメラ本体、着脱式外部表示装置、着脱式外部カメラ装置においては、表示する情報を記憶する記憶手段を含む本体部と、情報を表示する電子表示手段を含む表示部とから上記システムを構成し、前記本体部に対し前記表示部を着脱可能に構成し、さらに使用状況に応じて最適化された表示性能を持つ複数の表示部を用意することにより、ユーザは複数の表示部のなかから最適な表示部を本体に装着するだけで、必要な情報を必要な表示性能で確認できるとともに、該表示部に最適化された使用環境で上記システムの操作を行うことができる。
【０１１４】
また本発明による電子機器システム、電子カメラシステムおよび前記システムに用いられる電子カメラ本体、着脱式外部表示装置、着脱式外部カメラ装置においては、表示する情報を生成する生成手段を含む情報生成部と、情報を記憶する記憶手段と情報を表示する電子表示手段を含む本体部とから上記システムを構成し、前記本体部に対し前記情報生成部を着脱可能に構成し、前記本体部と前記情報生成部は装着状態においても分離状態においても表示装置として動作可能とするとともに、使用状況に応じて最適化された表示性能を持つ複数の本体部を用意することにより、ユーザは複数の本体部のなかから最適な本体部を情報生成部に組み合わせるだけで、必要な情報を必要な表示性能で確認できると同時に、該情報生成部に最適化された使用環境で上記システムの操作を行うことができる。
【図面の簡単な説明】
【図１】本発明の第１の実施形態の概念図である。
【図２】電子カメラ本体の外観図（正面視）である。
【図３】電子カメラ本体の外観図（背面視）である。
【図４】電子カメラ本体の外観図（側面視）である。
【図５】着脱式外部表示装置の外観図（正面視）である。
【図６】着脱式外部表示装置の外観図（背面視）である。
【図７】着脱式外部表示装置の外観図（正面視）である。
【図８】着脱式外部表示装置の外観図（背面視）である。
【図９】着脱式電源の外観図（背面視）である。
【図１０】着脱式ストロボの外観図（正面視）である。
【図１１】電子カメラ本体と着脱式外部表示装置の装着時の外観図（背面視）である。
【図１２】電子カメラ本体と着脱式外部表示装置の装着時の外観図（正面視）である。
【図１３】電子カメラ本体と着脱式外部表示装置の装着時の外観図（背面視）である。
【図１４】電子カメラ本体と着脱式電源の装着時の外観図（背面視）である。
【図１５】電子カメラ本体と着脱式ストロボの装着時の外観図（正面視）である。
【図１６】電子カメラ本体の電気構成を示すブロック図である。
【図１７】着脱式外部表示装置の電気構成を示すブロック図である。
【図１８】メモリ性表示部の説明図である。
【図１９】メモリ性表示部の説明図である。
【図２０】着脱式外部表示装置の電気構成を示すブロック図である。
【図２１】着脱式電源の電気構成を示すブロック図である。
【図２２】着脱式ストロボの電気構成を示すブロック図である。
【図２３】電子カメラ本体のメインフローチャートである。
【図２４】電子カメラ本体のサブルーチンのフローチャートである。
【図２５】電子カメラ本体のサブルーチンのフローチャートである。
【図２６】電子カメラ本体のサブルーチンのフローチャートである。
【図２７】電子カメラ本体のサブルーチンのフローチャートである。
【図２８】着脱式外部表示装置のメインフローチャートである。
【図２９】着脱式外部表示装置のメインフローチャートである。
【図３０】着脱式電源のメインフローチャートである。
【図３１】着脱式ストロボのメインフローチャートである。
【図３２】本発明の第２の実施形態の概念図である。
【図３３】着脱式外部カメラ装置の外観図（正面視）である。
【図３４】着脱式外部カメラ装置の外観図（背面視）である。
【図３５】着脱式外部カメラ装置の外観図（正面視）である。
【図３６】電子カメラ本体の外観図（正面視）である。
【図３７】電子カメラ本体の外観図（背面視）である。
【図３８】電子カメラ本体の外観図（正面視）である。
【図３９】電子カメラ本体の外観図（背面視）である。
【図４０】電子カメラ本体と着脱式外部カメラ装置の装着時の外観図（正面視）である。
【図４１】電子カメラ本体と着脱式外部カメラ装置の装着時の外観図（正面視）である。
【図４２】電子カメラ本体と着脱式外部カメラ装置の分離時の説明図である。
【図４３】着脱式外部カメラ装置の電気構成を示すブロック図である。
【図４４】電子カメラ本体の電気構成を示すブロック図である。
【図４５】着脱式外部カメラ装置のメインフローチャートである。
【図４６】電子カメラ本体のメインフローチャートである。
【図４７】電子カメラ本体のサブルーチンのフローチャートである。
【図４８】電子カメラ本体のサブルーチンのフローチャートである。
【符号の説明】
１０　撮影レンズ
１４、１５　コネクタ
１６　レリーズボタン
１８　ダイヤル
２５　左ボタン
２６　右ボタン
５０　ＣＰＵ
５５　ＣＣＤ
６３　メイン電池
７７　メモリカード
９２　画面制御回路
１００　電子カメラ本体
１０１　電子カメラ本体
２００　着脱式外部表示装置
２２１　表示画面
３００　着脱式外部表示装置
３２１　表示画面
４００　着脱式電源
５００　着脱式ストロボ
６００　着脱式外部カメラ装置
６１０　撮影レンズ
７００　着脱式外部カメラ装置
７１０　撮影レンズ
８００　電子カメラ本体
８２１　表示画面
９００　電子カメラ本体
９２１　表示画面
【図１】
2004088396.tif 000003
【図２】
2004088396.tif 000004
【図３】
2004088396.tif 000005
【図４】
2004088396.tif 000006
【図５】
2004088396.tif 000007
【図６】
2004088396.tif 000008
【図７】
2004088396.tif 000009
【図８】
2004088396.tif 000010
【図９】
2004088396.tif 000011
【図１０】
2004088396.tif 000012
【図１１】
2004088396.tif 000013
【図１２】
2004088396.tif 000014
【図１３】
2004088396.tif 000015
【図１４】
2004088396.tif 000016
【図１５】
2004088396.tif 000017
【図１６】
2004088396.tif 000018
【図１７】
2004088396.tif 000019
【図１８】
2004088396.tif 000020
【図１９】
2004088396.tif 000021
【図２０】
2004088396.tif 000022
【図２１】
2004088396.tif 000023
【図２２】
2004088396.tif 000024
【図２３】
2004088396.tif 000025
【図２４】
2004088396.tif 000026
【図２５】
2004088396.tif 000027
【図２６】
2004088396.tif 000028
【図２７】
2004088396.tif 000029
【図２８】
2004088396.tif 000030
【図２９】
2004088396.tif 000031
【図３０】
2004088396.tif 000032
【図３１】
2004088396.tif 000033
【図３２】
2004088396.tif 000034
【図３３】
2004088396.tif 000035
【図３４】
2004088396.tif 000036
【図３５】
2004088396.tif 000037
【図３６】
2004088396.tif 000038
【図３７】
2004088396.tif 000039
【図３８】
2004088396.tif 000040
【図３９】
2004088396.tif 000041
【図４０】
2004088396.tif 000042
【図４１】
2004088396.tif 000043
【図４２】
2004088396.tif 000044
【図４３】
2004088396.tif 000045
【図４４】
2004088396.tif 000046
【図４５】
2004088396.tif 000047
【図４６】
2004088396.tif 000048
【図４７】
2004088396.tif 000049
【図４８】
2004088396.tif 000050